(57)【要約】【課題】ビームフォーミングが行われる場合に端末装置のために適切なセルを選択することを可能にする。【解決手段】ビームフォーミング用の複数の重みセットを取得する取得部と、上記複数の重みセットに含まれる重みセットごとに、重みセットにあらかじめ関連付けられた無線リソースに測定用のリファレンス信号をマッピングし、当該リファレンス信号に当該重みセットを乗算する制御部と、を備える装置が提供される。【選択図】図７
2015216449.tif 000002
【特許請求の範囲】
【請求項１】
ビームフォーミング用の複数の重みセットを取得する取得部と、
前記複数の重みセットに含まれる重みセットごとに、重みセットにあらかじめ関連付けられた無線リソースに測定用のリファレンス信号をマッピングし、当該リファレンス信号に当該重みセットを乗算する制御部と、
を備える装置。
【請求項２】
前記無線リソースは、制御領域及びデータ領域を含むサブフレームのうちの前記データ領域の無線リソースである、請求項１に記載の装置。
【請求項３】
前記無線リソースは、前記データ領域のリソースエレメントのうちの、ＣＲＳ（Cell-specific  Reference  Signal）のためのリソースエレメント以外のリソースエレメントである、請求項２に記載の装置。
【請求項４】
前記無線リソースは、特定のサブフレームの無線リソースである、請求項１に記載の装置。
【請求項５】
前記特定のサブフレームは、ＭＢＳＦＮ（MBMS(Multimedia  Broadcast  Multicast  Services)  over  a  Single  Frequency  Network）サブフレームである、請求項４に記載の装置。
【請求項６】
前記制御部は、前記特定のサブフレームを端末装置に通知する、請求項４に記載の装置。
【請求項７】
前記特定のサブフレームは、あらかじめ定義されたサブフレームである、請求項４に記載の装置。
【請求項８】
前記制御部は、前記複数の重みセットの各々に関連付けられた無線リソースを端末装置に通知する、請求項１に記載の装置。
【請求項９】
前記複数の重みセットの各々に関連付けられた無線リソースは、あらかじめ定義された無線リソースである、請求項１に記載の装置。
【請求項１０】
前記装置は、基地局、当該基地局のための基地局装置、又は当該基地局装置のためのモジュールである、請求項１に記載の装置。
【請求項１１】
前記無線リソースは、ビームフォーミング用の重みセットを乗算された測定用のリファレンス信号を送信するために前記基地局の隣接基地局により使用される無線リソースとは異なる、請求項１０に記載の装置。
【請求項１２】
前記重みセットにあらかじめ関連付けられた前記無線リソースは、前記隣接基地局により使用される前記無線リソースと同じサブフレームに存在する、請求項１１に記載の装置。
【請求項１３】
前記重みセットにあらかじめ関連付けられた前記無線リソースは、前記隣接基地局により使用される前記無線リソースと同じの帯域のリソースブロックに含まれる、請求項１２に記載の装置。
【請求項１４】
前記重みセットにあらかじめ関連付けられた前記無線リソースは、前記隣接基地局により使用される前記無線リソースとは異なる帯域のリソースブロックに含まれる、請求項１２に記載の装置。
【請求項１５】
前記重みセットにあらかじめ関連付けられた前記無線リソースは、前記隣接基地局により使用される前記無線リソースとは異なるサブフレームに存在する、請求項１１に記載の装置。
【請求項１６】
前記制御部は、前記複数の重みセットのうちの選択された重みセットを復調用のリファレンス信号に乗算し、前記選択された重みセットに対応する識別情報を端末装置に通知する、請求項１に記載の装置。
【請求項１７】
前記制御部は、ダウンリンク制御情報の中で、前記選択された重みセットに対応する前記識別情報を端末装置に通知する、請求項１６に記載の装置。
【請求項１８】
前記複数の重みセットは、ラージスケールＭＩＭＯに使用可能な指向性アンテナに含まれる複数のアンテナ素子の１つ以上のサブセットのための重みセットである、請求項１に記載の装置。
【請求項１９】
前記複数のアンテナ素子は、第１の方向及び第２の方向に並び、
前記１つ以上のサブセットは、前記複数のアンテナ素子のうちの前記第１の方向に並ぶアンテナ素子を含む第１のサブセットと、前記複数のアンテナ素子のうちの前記第２の方向に並ぶアンテナ素子を含む第２のサブセットとを含む、
請求項１８に記載の装置。
【請求項２０】
前記制御部は、前記第１のサブセットの重みセットを乗算されたリファレンス信号についての測定の結果と、前記第２のサブセットの重みセットを乗算されたリファレンス信号についての測定の結果とに基づいて、統合された測定の結果を生成する、請求項１９に記載の装置。
【請求項２１】
前記複数のアンテナ素子は、第１の方向及び第２の方向に並び、
前記１つ以上のサブセットは、前記複数のアンテナ素子のうちの前記第１の方向及び前記第２の方向の一方に並ぶアンテナ素子を含むサブセットである、
請求項１８に記載の装置。
【請求項２２】
前記第１の方向及び前記第２の方向は、互いに直交する、請求項１９に記載の装置。
【請求項２３】
前記ビームフォーミングは、ラージスケールＭＩＭＯのビームフォーミングである、請求項１に記載の装置。
【請求項２４】
前記測定は、受信電力又は受信品質の測定である、請求項１に記載の装置。
【請求項２５】
前記測定は、ＲＳＲＰ（Reference  Signal  Received  Power）又はＲＳＲＱ（Reference  Signal  Received  Quality）の測定である、請求項２４に記載の装置。
【請求項２６】
前記リファレンス信号は、セルに固有の信号である、請求項１に記載の装置。
【請求項２７】
ビームフォーミング用の複数の重みセットに含まれる重みセットごとに、重みセットに関連付けられた無線リソースを使用して送信される測定用のリファレンス信号であって、前記重みセットを乗算された前記リファレンス信号についての測定の結果を取得する取得部と、
前記測定の前記結果に基づいて、基地局への測定報告を行う報告部と、
を備える装置。
【請求項２８】
前記報告部は、前記複数の重みセットに含まれる重みセットごとに、基地局への測定報告を行う、請求項２７に記載の装置。
【請求項２９】
前記複数の重みセットに含まれる重みセットごとに、前記測定を行う測定部、
をさらに備える、請求項２７に記載の装置。
【請求項３０】
前記測定部は、前記複数の重みセットのうちの選択された重みセットを乗算されたリファレンス信号についての測定を行い、
前記選択された重みセットを乗算された前記リファレンス信号は、前記選択された重みセットに関連付けられた無線リソースを使用して送信される測定用のリファレンス信号であって、前記選択された重みセットを乗算された前記測定用のリファレンス信号と、前記選択された重みセットを乗算された復調用のリファレンス信号とを含み、
前記選択された重みセットに対応する識別情報は、基地局が端末装置に通知する情報である、
請求項２９に記載の装置。
【請求項３１】
前記複数の重みセットは、ラージスケールＭＩＭＯに使用可能な指向性アンテナに含まれる複数のアンテナ素子の１つ以上のサブセットのための重みセットであり、
前記複数のアンテナ素子は、第１の方向及び第２の方向に並び、
前記１つ以上のサブセットは、前記複数のアンテナ素子のうちの前記第１の方向に並ぶアンテナ素子を含む第１のサブセットと、前記複数のアンテナ素子のうちの前記第２の方向に並ぶアンテナ素子を含む第２のサブセットとを含み、
前記報告部は、前記第１のサブセットの重みセットを乗算されたリファレンス信号についての測定の結果と、前記第２のサブセットの重みセットを乗算されたリファレンス信号についての測定の結果とに基づいて、統合された測定の結果を生成し、当該統合された測定の結果に基づいて、基地局への測定報告を行う、
請求項２７に記載の装置。
【請求項３２】
前記装置は、端末装置、又は端末装置のためのモジュールである、請求項２７に記載の装置。
【発明の詳細な説明】
【技術分野】
【０００１】
本開示は、装置に関する。
【背景技術】
【０００２】
現在、３ＧＰＰ（Third  Generation  Partnership  Project）では、爆発的に増加するトラフィックを収容するために、セルラーシステムの容量を向上するための様々な技術が検討されている。将来、現在の１０００倍程度の容量が必要とも言われている。ＭＵ−ＭＩＭＯ（Multi-User  Multi-Input  Multiple-Input  Multiple-Output）及びＣｏＭＰ（Coordinated  Multipoint）などの技術では、セルラーシステムの容量は数倍程度しか増加しないと考えられる。そのため、画期的な手法が求められている。
【０００３】
例えば、セルラーシステムの容量を大幅に増加させるための手法として、多数のアンテナ素子（例えば、１００個程度のアンテナ素子）を含む指向性アンテナを使用して基地局がビームフォーミングを行うことが考えられる。このような技術は、ラージスケール（Large-Scale）ＭＩＭＯ、又はマッシブ（Massive）ＭＩＭＯと呼ばれる技術の一形態である。このようなビームフォーミングによれば、ビームの半値幅は狭くなる。即ち、鋭いビームが形成される。また、上記多数のアンテナ素子を平面上に配置することにより、所望の３次元方向へのビームを形成することも可能になる。
【０００４】
なお、ビームフォーミングについての様々な技術が提案されている。例えば、特許文献１には、上りチャネルと下りチャネルとの周波数帯域が異なる場合であっても基地局によるビームフォーミングを実現する技術が、開示されている。
【先行技術文献】
【特許文献】
【０００５】
【特許文献１】特開２０１１−００４０５６
【発明の概要】
【発明が解決しようとする課題】
【０００６】
しかし、ビームフォーミングが行われる場合に端末装置のために適切なセルが選択されない可能性がある。
【０００７】
具体的には、通常、端末装置のためのセルの選択（例えば、端末装置によるセル選択（Cell  Selection）／セル再選択（cell  reselection）及び基地局によるハンドオーバ決定（Handover  Decision）など）は、ビームフォーミングなしで送信されるＣＲＳ（Cell-specific  Reference  Signal）についての測定（measurements）の結果に基づいて行われる。そのため、結果として選択されるセルは、ビームフォーミングなしで送信される信号の受信には良好なセルであるが、ビームフォーミングありで送信される信号の受信に良好なセルであるとは限らない。そのため、ビームフォーミングが行われる場合には、端末装置のために適切なセルが選択されない可能性がある。これは、とりわけ、多数のアンテナ素子を含む指向性アンテナを使用して上記ビームフォーミングが行われる場合に顕著になり得る。
【０００８】
そこで、ビームフォーミングが行われる場合に端末装置のために適切なセルを選択することを可能にする仕組みが提供されることが望ましい。
【課題を解決するための手段】
【０００９】
本開示によれば、ビームフォーミング用の複数の重みセットを取得する取得部と、上記複数の重みセットに含まれる重みセットごとに、重みセットにあらかじめ関連付けられた無線リソースに測定用のリファレンス信号をマッピングし、当該リファレンス信号に当該重みセットを乗算する制御部と、を備える装置が提供される。
【００１０】
また、本開示によれば、ビームフォーミング用の複数の重みセットに含まれる重みセットごとに、重みセットに関連付けられた無線リソースを使用して送信される測定用のリファレンス信号であって、上記重みセットを乗算された上記リファレンス信号についての測定の結果を取得する取得部と、上記測定の上記結果に基づいて、基地局への測定報告を行う報告部と、を備える装置が提供される。
【発明の効果】
【００１１】
以上説明したように本開示によれば、ビームフォーミングが行われる場合に端末装置のために適切なセルを選択することが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１２】
【図１】ラージスケールＭＩＭＯのビームフォーミング用の重みセットを説明するための説明図である。
【図２】重み係数の乗算とリファレンス信号の挿入との関係を説明するための説明図である。
【図３】本開示の実施形態に係る通信システムの概略的な構成の一例を示す説明図である。
【図４】ラージスケールＭＩＭＯのビームフォーミングの例を説明するための第１の説明図である。
【図５】ラージスケールＭＩＭＯのビームフォーミングの例を説明するための第２の説明図である。
【図６】同実施形態に係る基地局の構成の一例を示すブロック図である。
【図７】重みセットにあらかじめ関連付けられた無線リソースの第１の例を説明するための説明図である。
【図８】重みセットにあらかじめ関連付けられた無線リソースの第２の例を説明するための説明図である。
【図９】重みセットにあらかじめ関連付けられた無線リソースの第３の例を説明するための説明図である。
【図１０】重みセットにあらかじめ関連付けられた無線リソースの第４の例を説明するための説明図である。
【図１１】測定用のリファレンス信号への重み係数の乗算を説明するための説明図である。
【図１２】同実施形態に係る端末装置の構成の一例を示すブロック図である。
【図１３】同実施形態に係る処理の概略的な流れの一例を示すシーケンス図である。
【図１４】重みセットにあらかじめ関連付けられた無線リソースと隣接基地局により使用される無線リソースとの関係の第１の例を説明するための説明図である。
【図１５】重みセットにあらかじめ関連付けられた無線リソースと隣接基地局により使用される無線リソースとの関係の第２の例を説明するための説明図である。
【図１６】重みセットにあらかじめ関連付けられた無線リソースと隣接基地局により使用される無線リソースとの関係の第３の例を説明するための説明図である。
【図１７】復調用のリファレンス信号及び重み対応識別情報の送信の例を説明するための説明図である。
【図１８】同実施形態の第２の変形例に係る処理の概略的な流れの一例を示すシーケンス図である。
【図１９】指向性アンテナに含まれる複数のアンテナ素子のサブセットを説明するための説明図である。
【図２０】第３の変形例に係る、重みセットにあらかじめ関連付けられた無線リソースの第１の例を説明するための説明図である。
【図２１】同実施形態の第３の変形例に係る処理の概略的な流れの第１の例を示すシーケンス図である。
【図２２】同実施形態の第３の変形例に係る処理の概略的な流れの第２の例を示すシーケンス図である。
【図２３】同実施形態の第３の変形例に係る処理の概略的な流れの第３の例を示すシーケンス図である。
【図２４】ｅＮＢの概略的な構成の第１の例を示すブロック図である。
【図２５】ｅＮＢの概略的な構成の第２の例を示すブロック図である。
【図２６】スマートフォンの概略的な構成の一例を示すブロック図である。
【図２７】カーナビゲーション装置の概略的な構成の一例を示すブロック図である。
【発明を実施するための形態】
【００１３】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００１５】
なお、説明は以下の順序で行うものとする。
１．はじめに
２．通信システムの概略的な構成
３．各装置の構成
３．１．基地局の構成
３．２．端末装置の構成
４．処理の流れ
５．変形例
５．１．第１の変形例
５．２．第２の変形例
５．３．第３の変形例
６．応用例
６．１．基地局に関する応用例
６．２．端末装置に関する応用例
７．まとめ
【００１６】
＜＜１．はじめに＞＞
まず、図１及び図２を参照して、ビームフォーミング、測定（measurements）、及びセルの選択を説明する。
【００１７】
（ビームフォーミング）
（ａ）ラージスケールＭＩＭＯの必要性
現在、３ＧＰＰでは、爆発的に増加するトラフィックを収容するために、セルラーシステムの容量を向上するための様々な技術が検討されている。将来、現在の１０００倍程度の容量が必要とも言われている。ＭＵ−ＭＩＭＯ及びＣｏＭＰなどの技術では、セルラーシステムの容量は数倍程度しか増加しないと考えられる。そのため、画期的な手法が求められている。
【００１８】
３ＧＰＰのリリース１０では、ｅＮｏｄｅＢが８本のアンテナを搭載することが規格化されている。よって、当該アンテナによれば、ＳＵ−ＭＩＭＯ（Single-User  Multi-Input  Multiple-Input  Multiple-Output）の場合に８レイヤのＭＩＭＯを実現することができる。８レイヤのＭＩＭＯとは、独立な８つのストリームを空間的に多重する技術である。また、４ユーザに２レイヤのＭＵ−ＭＩＭＯを実現することもできる。
【００１９】
ＵＥ（User  Equipment）ではアンテナの配置のためのスペースが小さいこと、及びＵＥの処理能力には限界があることに起因して、ＵＥのアンテナのアンテナ素子を増やすことは難しい。しかし、近年のアンテナ実装技術の進歩により、１００個程度のアンテナ素子を含む指向性アンテナをｅＮｏｄｅＢに配置することは不可能ではなくなってきている。
【００２０】
例えば、セルラーシステムの容量を大幅に増加させるための手法として、多数のアンテナ素子（例えば、１００個程度のアンテナ素子）を含む指向性アンテナを使用して基地局がビームフォーミングを行うことが考えられる。このような技術は、ラージスケール（Large-Scale）ＭＩＭＯ又はマッシブ（Massive）ＭＩＭＯと呼ばれる技術の一形態である。このようなビームフォーミングによれば、ビームの半値幅は狭くなる。即ち、鋭いビームが形成される。また、上記多数のアンテナ素子を平面上に配置することにより、所望の３次元方向へのビームを形成することも可能になる。例えば、基地局よりも高い位置（例えば、高層ビルの上層階）に向けたビームを形成することにより、当該位置に存在する端末装置への信号を送信することが、提案されている。
【００２１】
典型的なビームフォーミングでは、水平方向でビームの方向を変えることが可能である。そのため、当該典型的なビームフォーミングは、２次元ビームフォーミングとも言える。一方、ラージスケールＭＩＭＯ（又はマッシブＭＩＭＯ）のビームフォーミングでは、水平方向に加えて垂直方向にもビームの方向を変えることが可能である。そのため、ラージスケールＭＩＭＯのビームフォーミングは、３次元ビームフォーミングとも言える。
【００２２】
なお、アンテナ本数が増えるので、ＭＵ−ＭＩＭＯでのユーザ数を増やすことが可能になる。このような技術は、ラージスケールＭＩＭＯ又はマッシブＭＩＭＯと呼ばれる技術の別の形態である。なお、ＵＥのアンテナ数が２本である場合には、１つのＵＥについての空間的に独立したストリームの数は２本であるので、１つのＵＥについてのストリーム数を増やすよりも、ＭＵ−ＭＩＭＯのユーザ数を増やす方が合理的である。
【００２３】
（ｂ）重みセット
ビームフォーミング用の重みセット（即ち、複数のアンテナ素子のための重み係数のセット）は、複素数として表される。以下、図１を参照して、とりわけラージスケールＭＩＭＯのビームフォーミング用の重みセットの例を説明する。
【００２４】
図１は、ラージスケールＭＩＭＯのビームフォーミング用の重みセットを説明するための説明図である。図１を参照すると、格子状に配置されたアンテナ素子が示されている。また、アンテナ素子が配置された平面上の直行する２つの軸ｘ、ｙ、及び、当該平面に直行する１つの軸ｚも示されている。ここで、形成すべきビームの方向は、例えば、角度phi（ギリシャ文字）及び角度theta（ギリシャ文字）で表される。角度phi（ギリシャ文字）は、ビーム方向のうちのｘｙ平面の成分とｘ軸とのなす角度である。また、角度theta（ギリシャ文字）は、ビーム方向とｚ軸とのなす角度である。この場合に、例えば、ｘ軸方向においてｍ番目に配置され、ｙ軸方向においてｎ番目に配置されるアンテナ素子の重み係数Ｖｍ，ｎは、以下のように表され得る。
【００２５】
【数１】
2015216449.tif 000003
【００２６】
ｆは周波数であり、ｃは光速である。また、ｊは複素数における虚数単位である。また、ｄｘは、ｘ軸方向におけるアンテナ素子の間隔であり、ｄｙは、ｙ軸方向におけるアンテナ素子間の間隔である。なお、アンテナ素子の座標は、以下のように表される。
【００２７】
【数２】
2015216449.tif 000004
【００２８】
なお、典型的なビームフォーミング（２次元ビームフォーミング）用の重みセットは、所望の水平方向へのビームを形成するための重みセットと、アンテナ間の移送の調整のための重みセットとに分解され得る。そのため、ラージスケールＭＩＭＯのビームフォーミング用の重みセットは、所望の垂直方向へのビームを形成するための第１の重みセットと、所望の水平方向へのビームを形成するための第２の重みセットと、アンテナ間の移送の調整のための第３の重みセットとに分解され得る。
【００２９】
（ｃ）ラージスケールＭＩＭＯのビームフォーミングによる環境の変化
ラージスケールＭＩＭＯのビームフォーミングが行われる場合には、利得は１０ｄＢ以上に達する。上記ビームフォーミングを採用するセルラーシステムでは、従来のセルラーシステムと比べて、電波環境の変化が激しくなり得る。
【００３０】
（ｄ）ラージスケールＭＩＭＯのビームフォーミングが行われるケース
例えば、都市部の基地局が高層ビルに向けたビームを形成することが考えられる。また、郊外であっても、スモールセルの基地局が当該基地局の周辺のエリアに向けたビームを形成することが考えられる。なお、郊外のマクロセルの基地局はラージスケールＭＩＭＯのビームフォーミングを行わない可能性が高い。
【００３１】
（測定）
（ａ）ＣＲＳについての測定
ＬＴＥ（Long  Term  Evolution）では、端末装置は、基地局により送信されるＣＲＳ（Cell-specific  Reference  Signal）についての測定を行う。具体的には、端末装置は、基地局により送信されるＣＲＳの受信により、当該基地局と当該端末装置との間の伝搬路の品質の測定を行う。この測定は、「ＲＲＭ（Radio  Resource  Management）測定」、又は単に「測定（measurements）」と呼ばれる。
【００３２】
上記測定の結果は、端末装置のためのセルを選択するために使用される。具体的には、例えば、上記測定の結果は、ＲＲＣ（Radio  Resource  Control）アイドル（RRC  Idle）である端末装置によるセル選択（Cell  Selection）／セル再選択（cell  reselection）に使用される。また、例えば、上記測定の結果は、ＲＲＣ接続（RRC  Connected）である端末装置により基地局に報告され、当該基地局によるハンドオーバ決定（Handover  Decision）に使用される。
【００３３】
上述したように、上記測定は、ＣＲＳの受信により行われる。ＣＲＳは、無指向性の電波の伝送路の品質を測定するための信号であるので、ビームフォーミングなしで送信される。即ち、ＣＲＳは、ビームフォーミング用の重みセットを乗算されずに送信される。
【００３４】
なお、ＤＭ−ＲＳ（Demodulation  Reference  Signal）又はＵＥ固有リファレンス信号（UE  specific  Reference  Signal）と呼ばれる復調用のリファレンス信号もある。当該復調用のリファレンス信号は、ビームフォーミング用の重みセットを乗算されるので、無指向性の電波の伝送路の品質を測定するのには望ましくない。また、ＣＳＩ−ＲＳ（Channel  State  Information  Reference  Signal）と呼ばれるリファレンス信号もある。ＣＳＩ−ＲＳは、ＣＲＳと同様に、ビームフォーミングなしで送信される。しかし、ＣＳＩ−ＲＳの送信頻度が低いので、ＣＳＩ−ＲＳの受信による測定には長い時間がかかる。以下、図２を参照して、重み係数の乗算とリファレンス信号の挿入（又はマッピング）との関係を説明する。
【００３５】
図２は、重み係数の乗算とリファレンス信号の挿入との関係を説明するための説明図である。図２を参照すると、各アンテナ素子９１に対応する送信信号９２は、乗算器９４において重み係数９３を複素乗算される。そして、重み係数９３を複素乗算された送信信号９２が、アンテナ素子９１から送信される。また、ＤＲ−ＭＳ９５は、乗算器９４の前に挿入され、乗算器９４において重み係数９３が複素乗算される。そして、重み係数９３が複素乗算されたＤＲ−ＭＳ９５が、アンテナ素子９１から送信される。一方、ＣＲＳ９６（及びＣＳＩ−ＲＳ）は、乗算器９４の前に挿入される。そして、ＣＲＳ９６（及びＣＳＩ−ＲＳ）は、重み係数９３を乗算されることなく、アンテナ素子９１から送信される。
【００３６】
（ｂ）ＲＳＲＰ及びＲＳＲＱ
ＬＴＥでは、ＣＲＳについての測定は、ＲＳＲＰ（Reference  Signal  Received  Power）及び／又はＲＳＲＱ（Reference  Signal  Received  Quality）の測定である。換言すると、端末装置は、ＣＲＳについての測定の結果として、ＲＳＲＰ及び／又はＲＳＲＱを取得する。ＲＳＲＱは、ＲＳＲＰとＲＳＳＩ（Received  Signal  Strength  Indicator）から算出される。
【００３７】
ＲＳＲＰは、単一のリソースエレメントあたりのＣＲＳの受信電力である。即ち、ＲＳＲＰは、ＣＲＳの受信電力の平均値である。ＣＲＳの受信電力は、ＣＲＳのリソースエレメントにおける受信信号と既知信号であるＣＲＳとの相関の検出により得られる。ＲＳＲＰは、所望信号「Ｓ（Signal）」に対応する。
【００３８】
ＲＳＳＩは、ＯＦＤＭＡ（Orthogonal  Frequency  Division  Multiple  Access）シンボルあたりの信号の総電力である。そのため、ＲＳＳＩは、所望信号、干渉信号及び雑音を含む。即ち、ＲＳＳＩは、「Ｓ（Signal）＋Ｉ（Interference）＋Ｎ（Noise）」に対応する。
【００３９】
ＲＳＲＱは、ＲＳＲＰ／（ＲＳＲＩ／Ｎ）である。Ｎは、ＲＳＳＩの算出に用いられるリソースブロックの数である。当該リソースブロックは、周波数方向に並ぶリソースブロックである。したがって、ＲＳＲＱは、リソースブロック１個あたりのＲＳＲＩでＲＳＲＰを割ることにより得られる値である。即ち、ＲＳＲＱは、ＳＩＮＲ（Signal-to-Interference-plus-Noise  Ratio）に対応する。
【００４０】
以上のように、ＣＲＳについての測定により、受信電力（即ち、ＲＳＲＰ）と、ＳＩＮＲのような受信品質（即ち、ＲＳＲＱ）とが得られる。
【００４１】
（ｃ）平均化により効果
ＲＳＲＰ及びＲＳＲＱを取得するためには、数ミリ秒から数十ミリ秒にわたって信号を受信し、受信電力の平均化を行う必要がある。１スロット又は１サブセットのみの平均化によりＲＳＲＰ及びＲＰＲＱを取得すると、フェージングなどのチャネルの瞬間的な変動に影響されやすくなるからである。
【００４２】
なお、上記平均化の手法は、端末装置ごとに実装されるのであり、規格において具体的に定められていない。
【００４３】
（セルの選択）
（ａ）セルの選択の例
例えば、端末装置は、ＲＲＣアイドル（RRC  Idle）である場合に、セル選択（Cell  Selection）／セル再選択（cell  reselection）を行う。即ち、端末装置は、通信を行うためのセル（例えば、ページングの受信のためのセル）を選択する。
【００４４】
また、例えば、基地局は、ハンドオーバ決定（Handover  Decision）を行う。即ち、基地局は、端末装置のためのターゲットセルを選択し、端末装置のためのサービングセルから上記ターゲットセルへのハンドオーバを決定する。
【００４５】
また、例えば、基地局は、キャリアアグリゲーションのＳｃｅｌｌ（Secondary  Cell）の追加を行う。当該Ｓｃｅｌｌは、ＳＣＣ（Secondary  Component  Carrier）とも呼ばれる。
【００４６】
なお、ここでの「セル」は、基地局の通信エリアを意味してもよく、又は基地局が使用する周波数帯域を意味してもよい。また、ここでの「セル」は、キャリアアグリゲーションのＰｃｅｌｌ（Primary  Cell）又はＳｃｅｌｌであってもよい。上記Ｐｃｅｌｌは、ＰＣＣ（Primary  Component  Carrier）とも呼ばれ、上記Ｓｃｅｌｌは、ＳＣＣ（Secondary  Component  Carrier）とも呼ばれる。
【００４７】
（ｂ）ビームフォーミングが行われる場合のセルの選択
上述したように、ラージスケールＭＩＭＯ又はマッシブＭＩＭＯと呼ばれる技術の一形態では、基地局は、多数のアンテナ素子（例えば、１００個程度のアンテナ素子）を含む指向性アンテナを使用してビームフォーミングを行う。この場合に、基地局は、水平方向のみではなく垂直方向にもビームの方向を変えることができる。そのため、一例として、基地局は、基地局よりも高い位置（例えば、高層ビルの上層階）に向けたビームを形成することにより、高い位置でのスループットを向上させることができる。別の例として、小型の基地局は、近傍のエリアへのビームを形成することにより、隣接基地局との間の干渉を減らすことができる。
【００４８】
ここで、ラージスケールＭＩＭＯのビームフォーミングによる信号の送受信が主流になった場合に、ＣＲＳについての測定の結果に基づいてセルの選択が行われてよいのかという疑問が生じる。
【００４９】
具体的には、ＣＲＳについての測定から分かるのは、あくまで、無指向性の電波の伝送路の品質である。しかし、無指向性の電波の伝送路は、ラージスケールＭＩＭＯのビームフォーミングにより形成される鋭いビームの伝送路とは全く異なる。そのため、当該ビームフォーミングによる信号の送受信が前提である場合には、ＣＲＳについての測定の結果に基づくセルの選択では、適切なセルが選択されない可能性がある。
【００５０】
一例として、ＣＲＳの測定の結果に基づいて選択されたセルで端末装置が信号を送受信すると、隣接基地局からの鋭いビームにより大きい干渉が発生してしまう可能性がある。別の例として、あるセルについてのＣＲＳの測定の結果が、別のセルについてのＣＲＳの測定の結果よりも良好であったとしても、ビームフォーミングが行われる場合には、上記別のセルでの通信品質の方が上記あるセルでの通信品質よりも良好である可能性もある。
【００５１】
以上のように、ビームフォーミングが行われる場合に端末装置のために適切なセルが選択されない可能性がある。
【００５２】
（ｃ）ＣＲＳについての測定が望ましくないケース
上述したように、例えば、ラージスケールＭＩＭＯのビームフォーミングは都市部の基地局又はスモールセルの基地局により行われると考えられる。そのため、これらの基地局のセルの選択がＣＲＳについての測定に基づいて行われることは望ましくない。
【００５３】
＜＜２．通信システムの概略的な構成＞＞
続いて、図３〜図５を参照して、本開示の実施形態に係る通信システム１の概略的な構成を説明する。図３は、本開示の実施形態に係る通信システム１の概略的な構成の一例を示す説明図である。図３を参照すると、通信システム１は、基地局１００及び端末装置２００を含む。通信システム１は、例えば、ＬＴＥ、ＬＴＥ−Ａｄｖａｎｃｅｄ、又はこれらに準ずる通信規格に準拠したシステムである。
【００５４】
基地局１００は、端末装置２００との無線通信を行う。例えば、基地局１００は、基地局１００の通信エリア内に位置する端末装置２００との無線通信を行う。換言すると、端末装置２００は、基地局１００の通信エリア内に位置する場合に、基地局１００との無線通信を行う。
【００５５】
とりわけ本開示の実施形態では、基地局１００は、ビームフォーミングを行う。例えば、当該ビームフォーミングは、ラージスケールＭＩＭＯのビームフォーミングである。当該ビームフォーミングは、マッシブＭＩＭＯのビームフォーミング、又は３次元ビームフォーミングとも呼ばれ得る。
【００５６】
具体的には、例えば、基地局１００は、ラージスケールＭＩＭＯに使用可能な指向性アンテナを備える。また、基地局１００は、当該指向性アンテナのための重みセットを送信信号に乗算することにより、ラージスケールＭＩＭＯのビームフォーミングを行う。例えば、当該重みセットは端末装置２００ごとに決定される。その結果、端末装置２００に向けたビームが形成される。以下、図４及び図５を参照して、ラージスケールＭＩＭＯのビームフォーミングの例を説明する。
【００５７】
図４は、ラージスケールＭＩＭＯのビームフォーミングの例を説明するための第１の説明図である。図４を参照すると、ラージスケールＭＩＭＯに使用可能な指向性アンテナ１０１が示されている。指向性アンテナ１０１は、所望の３次元方向への鋭いビームを形成することができる。例えば、指向性アンテナ１０１によりビーム２１Ａ及びビーム２１Ｂが形成される。
【００５８】
図５は、ラージスケールＭＩＭＯのビームフォーミングの例を説明するための第２の説明図である。図５を参照すると、図４を参照して説明したビーム２１Ａ、２１Ｂが示されている。例えば、ビーム２１Ａはエリア２３Ａに到達し、ビーム２１Ｂはエリア２３Ｂに到達する。そのため、エリア２３Ａ内に位置する端末装置２００Ａは、ビーム２１Ａとして送信される信号を受信することができる。また、エリア２３Ｂ内に位置する端末装置２００Ｂは、ビーム２１Ｂとして送信される信号を受信することができる。基地局１００は、端末装置２００Ａ宛の信号をビーム２１Ａとして送信し、端末装置２００Ｂ宛の信号をビーム２１Ｂとして送信する。
【００５９】
なお、基地局１００は、例えば、ビームフォーミングを行わずに信号を送信することができる。一例として、基地局１００は、無指向性アンテナを備え、無指向性の電波として信号を送信する。別の例として、基地局１００は、セクタアンテナを備え、セクタビームとして信号を送信してもよい。
【００６０】
＜＜３．各装置の構成＞＞
続いて、図６〜図１２を参照して、本開示の実施形態に係る基地局１００及び端末装置２００の構成を説明する。
【００６１】
＜３．１．基地局の構成＞
まず、図６〜図１１を参照して、本開示の実施形態に係る基地局１００の構成の一例を説明する。図６は、本開示の実施形態に係る基地局１００の構成の一例を示すブロック図である。図６を参照すると、基地局１００は、アンテナ部１１０、無線通信部１２０、ネットワーク通信部１３０、記憶部１４０及び処理部１５０を備える。
【００６２】
（アンテナ部１１０）
アンテナ部１１０は、無線通信部１２０により出力された信号を電波として空間に放射する。また、アンテナ部１１０は、空間の電波を信号に変換し、当該信号を無線通信部１２０へ出力する。
【００６３】
とりわけ本開示の実施形態では、アンテナ部１１０は、指向性アンテナを含む。例えば、当該指向性アンテナは、ラージスケールＭＩＭＯに使用可能な指向性アンテナである。
【００６４】
また、例えば、アンテナ部１１０は、無指向性アンテナをさらに含む。なお、アンテナ部１１０は、無指向性アンテナの代わりに、又は無指向性アンテナとともに、セクタアンテナを含んでもよい。
【００６５】
（無線通信部１２０）
無線通信部１２０は、信号を送受信する。例えば、無線通信部１２０は、端末装置２００へのダウンリンク信号を送信し、端末装置２００からのアップリンク信号を受信する。
【００６６】
（ネットワーク通信部１３０）
ネットワーク通信部１３０は、他のノードと通信する。例えば、ネットワーク通信部１３０は、他の基地局１００及びコアネットワークノードと通信する。
【００６７】
（記憶部１４０）
記憶部１４０は、基地局１００の動作のためのプログラム及びデータを記憶する。
【００６８】
（処理部１５０）
処理部１５０は、基地局１００の様々な機能を提供する。処理部１５０は、情報取得部１５１及び通信制御部１５３を含む。なお、処理部１５０は、これらの構成要素以外の他の構成要素をさらに含み得る。即ち、処理部１５０は、これらの構成要素の動作以外の動作も行い得る。
【００６９】
（情報取得部１５１）
情報取得部１５１は、ビームフォーミング用の複数の重みセットを取得する。
【００７０】
（ａ）重みセット
例えば、上記ビームフォーミングは、ラージスケールＭＩＭＯのビームフォーミングである。また、上記複数の重みセットは、ラージスケールＭＩＭＯのビームフォーミング用の重み接セットである。なお、当該ビームフォーミングは、マッシブＭＩＭＯのビームフォーミング、又は３次元ビームフォーミングと呼ばれてもよい。
【００７１】
例えば、上記複数の重みセットの各々は、基地局１００が備える指向性アンテナに含まれるアンテナ素子ごとの重み係数を含む。
【００７２】
例えば、上記複数の重みセットは、上記指向性アンテナのための全ての重みセットのうちの一部の重みセットである。当該一部の重みセットは、基地局１００又はコアネットワークノードにより自動的に決定されてもよく、又は、セルラーシステムのオペレータにより設定されてもよい。なお、上記複数の重みセットは、上記一部の重みセットではなく、上記全ての重みセットであってもよい。
【００７３】
（ｂ）具体的な処理
例えば、上記複数の重みセットは、記憶部１４０に記憶される。情報取得部１５１は、記憶部１４０から、上記複数の重みセットを取得する。
【００７４】
（通信制御部１５３）
（１）測定用のリファレンス信号の送信の制御
通信制御部１５３は、上記複数の重みセットに含まれる重みセットごとに、重みセットにあらかじめ関連付けられた無線リソースに測定用のリファレンス信号をマッピングし、当該リファレンス信号に当該重みセットを乗算する。
【００７５】
（ａ）リファレンス信号のマッピング
（ａ−１）フレームフォーマット
−データ領域の無線リソース
例えば、上記重みセットにあらかじめ関連付けられた上記無線リソースは、制御領域及びデータ領域を含むサブフレームのうちの上記データ領域の無線リソースである。即ち、通信制御部１５３は、重みセットにあらかじめ関連付けられたデータ領域の無線リソースに、上記測定用のリファレンス信号をマッピングする。
【００７６】
例えば、上記制御領域は、制御チャネルが配置される領域（時間）であり、上記データ領域は、データチャネルが配置される領域（時間）である。例えば、上記制御チャネルは、ＰＤＣＣＨ（Physical  Downlink  Control  Channel）を含み、上記データチャネルは、ＰＤＳＣＨ（Physical  Downlink  Shared  Channel）を含む。
【００７７】
より具体的には、例えば、上記サブフレームは、Ｎ個のＯＦＤＭＡシンボルを含む場合に、上記制御領域は、上記Ｎ個のＯＦＤＭＡシンボルのうちの１番目からＭ番目のシンボルであり、上記データ領域は、上記Ｎ個のＯＦＤＭＡシンボルのうちのＭ＋１番目からＮ番目のシンボルである。一例として、Ｎは１４であり、Ｍは３である。
【００７８】
さらに、例えば、上記重みセットにあらかじめ関連付けられた上記無線リソースは、上記データ領域のリソースエレメントのうちの、ＣＲＳのためのリソースエレメント以外のリソースエレメントである。以下、図７を参照して、重みセットにあらかじめ関連付けられた無線リソースの第１の例を説明する。
【００７９】
図７は、重みセットにあらかじめ関連付けられた無線リソースの第１の例を説明するための説明図である。図７を参照すると、サブフレーム３０内で時間方向に並ぶ２つのリソースブロックが示されている。この例では、サブフレーム３０は１４個のＯＦＤＭＡシンボルを含む。また、制御領域３１は、１番目〜３番目のＯＦＤＭＡシンボルを含み、データ領域３３は、４番目〜１４番目のＯＦＤＭＡシンボルを含む。例えば、データ領域３３のリソースエレメントが、重みセットＶ（ｉ）（ｉ＝０〜３）に関連付けられている。そして、通信制御部１５３は、当該リソースエレメントに測定用のリファレンス信号をマッピングする。
【００８０】
このようにデータ領域の無線リソースに上記測定用のリファレンス信号をマッピングすることにより、制御領域は変更されない。そのため、例えば、本実施形態の技術が適用されない装置（レガシー装置）が、制御チャネル（例えば、ＰＤＣＣＨ）で送信される制御情報を取得することができる。また、ＣＲＳのリソースエレメント以外のリソースエレメントに上記測定用のリファレンス信号をマッピングすることにより、例えば、本実施形態の技術が適用されない装置（レガシー装置）がＣＲＳについての測定を適切に行うことが可能になる。このように、後方互換性（Backward  Compatibility）が担保される。
【００８１】
−−ＭＢＳＦＮサブフレームの無線リソース
例えば、上記重みセットにあらかじめ関連付けられた上記無線リソースは、特定のサブフレームの無線リソースである。さらに、当該特別のサブフレームは、ＭＢＳＦＮ（MBMS(Multimedia  Broadcast  Multicast  Services)  over  a  Single  Frequency  Network）サブフレームであってもよい。以下、図８を参照して、重みセットにあらかじめ関連付けられた無線リソースの第２の例及び第３の例を説明する。
【００８２】
図８は、重みセットにあらかじめ関連付けられた無線リソースの第２の例を説明するための説明図である。図８を参照すると、サブフレーム３０内で時間方向に並ぶ２つのリソースブロックが示されている。この例では、サブフレーム３０は、ＭＢＳＦＮサブフレームであり、１４個のＯＦＤＭＡシンボルを含む。また、制御領域３１は、１番目〜３番目のＯＦＤＭＡシンボルを含み、データ領域３３は、４番目〜１４番目のＯＦＤＭＡシンボルを含む。この例では、サブフレーム３０がＭＢＳＦＮサブフレームであるので、データ領域３３ではＣＲＳが送信されない。例えば、データ領域３３のリソースエレメントが、重みセットＶ（ｉ）（ｉ＝０〜１９）に関連付けられる。そして、通信制御部１５３は、当該リソースエレメントに測定用のリファレンス信号をマッピングする。
【００８３】
図９は、重みセットにあらかじめ関連付けられた無線リソースの第３の例を説明するための説明図である。図９を参照すると、この例では、データ領域３３のリソースエレメントが、重みセットＶ（ｉ）（ｉ＝０〜１１）に関連付けられる。そして、通信制御部１５３は、当該リソースエレメントに測定用のリファレンス信号をマッピングする。
【００８４】
このようにＭＢＳＦＮサブフレームを使用することにより、例えば、後方互換性を担保しつつ、データ領域のより多くの無線リソースに上記測定用のリファレンス信号をマッピングすることが可能になる。
【００８５】
−制御領域の無線リソース
上述したように、例えば、上記複数の重みセットの各々には、データ領域の無線リソースが関連付けられている。しかし、本実施形態は係る例に限定されない。上記複数の重みセットのうちの少なくとも１つの重みセットに、制御領域及びデータ領域（又は制御領域のみ）の無線リソースが関連付けられていてもよい。以下、図９を参照して、重みセットにあらかじめ関連付けられた無線リソースの第４の例を説明する。
【００８６】
図１０は、重みセットにあらかじめ関連付けられた無線リソースの第４の例を説明するための説明図である。図１０を参照すると、サブフレーム３０内で時間方向に並ぶ２つのリソースブロックが示されている。この例では、サブフレーム全体にわたるリソースエレメントが重みセットＶ（ｉ）（ｉ＝０〜１１）に関連付けられる。そして、通信制御部１５３は、当該リソースエレメントに測定用のリファレンス信号をマッピングする。
【００８７】
（ａ−２）対象のサブフレーム
例えば、上記重みセットにあらかじめ関連付けられた上記無線リソースは、特定のサブフレームの無線リソースである。即ち、通信制御部１５３は、特定のサブフレームの無線リソースのうちの、重みセットにあらかじめ関連付けられた無線リソースに、上記測定用のリファレンス信号をマッピングする。
【００８８】
例えば、上記特定のサブフレームは、無線フレーム（Radio  Frame）の中の１０個のサブフレームのうちの１つ以上のサブフレームである。上記特定のサブフレームは、サブフレーム番号が奇数であるサブフレームであってもよく、あるいは、サブフレーム番号が偶数であるサブフレームであってもよい。当然ながら、上記特定のサブフレームは係る例に限られない。
【００８９】
これにより、例えば、上記測定用のリファレンス信号によるオーバーヘッドを抑えることが可能になる。
【００９０】
例えば、上記特定のサブフレームは、基地局ごとに、基地局のグループごとに、又はセルラーシステムごとに、設定される。この場合に、通信制御部１５３は、上記特定のサブフレームを端末装置２００に通知する。これにより、例えば、必要に応じた設定が可能になる。なお、上記特定のサブフレームは、あらかじめ定義されたサブフレームであってもよい。これにより、例えば、上記特定のサブフレームの通知に起因するオーバーヘッドがなくなり得る。
【００９１】
上述したように、当該特別のサブフレームは、ＭＢＳＦＮサブフレームであってもよい。
【００９２】
以上のように、例えば、特定のサブフレームの無線リソースに、上記測定用のリファレンス信号がマッピングされる。しかしながら、本実施形態は係る例に限定されない。一例として、上記重みセットにあらかじめ関連付けられた上記無線リソースは、各サブフレームの無線リソースであってもよい。別の例として、重みセットにあらかじめ関連付けられた無線リソースが含まれるサブフレームが、上記複数の重みセット間で異なっていてもよい。
【００９３】
（ａ−３）端末装置による無線リソースの知得
−無線リソースの通知
例えば、通信制御部１５３は、上記複数の重みセットの各々に関連付けられた無線リソースを端末装置２００に通知する。
【００９４】
−−通知の手法
例えば、通信制御部１５３は、基地局１００の通信エリア内に位置する端末装置２００に向けて上記無線リソースを報知する。具体的には、例えば、通信制御部１５３は、システム情報（System  Information）の中で上記無線リソースを報知する。当該システム情報は、例えば、いずれかのＳＩＢ（System  Information  Block）である。
【００９５】
なお、通信制御部１５３は、上記無線リソースを端末装置２００に個別に通知してもよい。具体的には、通信制御部１５３は、シグナリングにより、上記無線リソースを端末装置２００に通知してもよい。当該シグナリングは、ＲＲＣシグナリングであってもよい。
【００９６】
−−通知情報
例えば、通信制御部１５３は、上記複数の重みセットの各々に関連付けられた上記無線リソースを特定するための情報（以下、「無線リソース情報」と呼ぶ）を端末装置２００に通知する。
【００９７】
上述したように、例えば、上記複数の重みセットの各々に関連付けられた上記無線リソースは、特定のサブフレームの無線リソースである。この場合に、上記無線リソース情報は、例えば、上記特定のサブフレームを示す情報を含む。
【００９８】
また、例えば、上記無線リソース情報は、サブフレームのリソースブロックのうちの、上記複数の重みセットの各々に関連付けられた無線リソースを含むリソースブロックを示す情報を含む。上記複数の重みセットに関連付けられる上記無線リソースが、同一のリソースブロックに含まれる場合には、上記無線リソース情報は、上記複数の重みセットに共通のリソースブロック（即ち、上記同一のリソースブロック）を示す情報を含む。一方、上記複数の重みセットに関連付けられる上記無線リソースが、必ずしも同一のリソースブロックに含まれない場合には、上記無線リソース情報は、上記複数の重みセットの各々について、重みセットに関連付けられた無線リソースを含むリソースブロックを示す情報を含む。
【００９９】
また、例えば、上記無線リソース情報は、上記複数の重みセットの各々に関連付けられたリソースエレメントを示す情報を含む。具体例として、図７を再び参照すると、上記無線リソース情報は、重みセットＶ（ｉ）（ｉ＝０〜３）の各々について、２つのリソースブロックの中の、重みセットＶ（ｉ）に関連付けられているリソースエレメントを示す情報を含む。
【０１００】
また、例えば、上記無線リソース情報は、上記複数の重みセットの各々に関連付けられた上記無線リソースに対応する識別情報を含む。当該識別情報は、重みセットに対応する識別情報とも言える。一例として、上記識別情報は、上記無線リソースを識別するためのリソース識別情報（例えば、無線リソースのインデックス）である。別の例として、上記識別情報は、当該無線リソースが関連付けられた重みセットを識別するための重み識別情報（例えば、重みセットのコードブックインデックス）であってもよい。このような識別情報により、後述するように、端末装置２００は、測定報告（measurement  reporting）の際に、当該測定報告に対応する無線リソース又は重みセットを基地局１００に通知することが可能になる。
【０１０１】
以上のように、例えば、通信制御部１５３は、上記複数の重みセットの各々に関連付けられた無線リソースを端末装置２００に通知する。これにより、例えば、端末装置２００は、上記測定用のリファレンス信号についての測定を行うことが可能になる。また、重みセットに関連付けられる無線リソースが柔軟に変更され得る。
【０１０２】
−あらかじめ定められた無線リソース
なお、上記複数の重みセットの各々に関連付けられた無線リソースは、あらかじめ定義された無線リソースであってもよい。例えば、上記複数の重みセットの各々に関連付けられた無線リソースは、ＣＲＳと同様に、セルラーシステムの規格においてあらかじめ定義された無線リソースであってもよい。また、上記複数の重みセットの各々に関連付けられた無線リソースを識別するための情報も、あらかじめ定義されてもよい。このような場合に、当該無線リソースは、基地局１００により端末装置２００に通知されなくてもよい。これにより、例えば、通知に起因するオーバーヘッドがなくなり得る。
【０１０３】
なお、基地局１００又はコアネットワークノードは、動的に（dynamically）、又は準静的に（semi-statically）、１つのあらかじめ定義された無線リソースをいずれか１つの重みセットに関連付け得る。即ち、１つのあらかじめ定義された無線リソースが関連付けられた１つの重みセットは、動的に、又は準静的に、変更され得る。
【０１０４】
（ａ−４）測定用のリファレンス信号
−セルに固有の信号
例えば、上記測定用のリファレンス信号は、セルに固有の信号である。
【０１０５】
一例として、上記測定用のリファレンス信号は、ＣＲＳのシーケンスと同一のシーケンスを有する信号である。あるいは、上記測定用のリファレンス信号は、ＣＲＳに類似する、セルに固有の別の信号であってもよい。
【０１０６】
これにより、例えば、セルの選択のための測定を行うことが可能になる。
【０１０７】
−測定
例えば、上記測定は、ＲＲＭ測定（RRM  measurements）であり、受信電力又は受信品質の測定である。より具体的には、例えば、上記測定は、ＲＳＲＰ又はＲＳＲＱの測定である。
【０１０８】
（ｂ）重み係数の乗算
上述したように、通信制御部１５３は、上記複数の重みセットに含まれる重みセットごとに、重みセットにあらかじめ関連付けられた無線リソースにマッピングされた測定用のリファレンス信号に、当該重みセットを乗算する。
【０１０９】
重みセットは、複数のアンテナ素子のための重み係数のセットであり、通信制御部１５３は、アンテナ素子ごとに、アンテナ素子に対応する重み係数を上記測定用のリファレンス信号に乗算する。以下、この点について図１１を参照して具体例を説明する。
【０１１０】
図１１は、測定用のリファレンス信号への重み係数の乗算を説明するための説明図である。図１１を参照すると、各アンテナ素子７１に対応する送信信号７３は、乗算器７７において重み係数７５を複素乗算される。そして、重み係数７５を複素乗算された送信信号７３が、アンテナ素子７１から送信される。また、測定用のリファレンス信号７９は、乗算器７５の前に挿入され（即ち、無線リソースにマッピングされ）、乗算器７７において重み係数７５が複素乗算される。そして、重み係数７５が複素乗算された測定用のリファレンス信号７９は、アンテナ素子７１から送信される。
【０１１１】
具体例として、図７を再び参照すると、重みセットＶ（ｉ）（ｉ＝０〜３）に関連付けられたリソースエレメントにマッピングされた測定用のリファレンス信号は、重みセットＶ（ｉ）を乗算される。また、図８を再び参照すると、重みセットＶ（ｉ）（ｉ＝０〜１９）に関連付けられたリソースエレメントにマッピングされた測定用のリファレンス信号は、重みセットＶ（ｉ）を乗算される。
【０１１２】
以上のように、通信制御部１５３は、上記複数の重みセットに含まれる重みセットごとに、重みセットにあらかじめ関連付けられた無線リソースに測定用のリファレンス信号をマッピングし、当該リファレンス信号に当該重みセットを乗算する。これにより、例えば、ビームフォーミングが行われる場合に端末装置２００のために適切なセルを選択することが可能になる。
【０１１３】
より具体的には、例えば、端末装置２００は、無指向性の電波として送信されるＣＲＳではなく、ビームフォーミング用の重みセットを乗算された測定用のリファレンス信号についての測定を行うことが可能になる。即ち、端末装置２００は、無指向性の電波の伝送路の品質ではなく、指向性ビームの伝送路の品質を測定することができる。そのため、基地局１００又は端末装置２００は、例えば、指向性ビームの伝送路が良好であるセルを選択することが可能になる。
【０１１４】
（ｃ）その他
（ｃ−１）ＣＲＳ
例えば、基地局１００は、上記測定用のリファレンス信号のみではなく、ＣＲＳも送信する。即ち、通信制御部１５３は、ＣＲＳ用の無線リソースにＣＲＳをマッピングする。当該ＣＲＳは、重みセットを乗算されない。これにより、例えば、本実施形態の技術が適用されない装置（レガシー装置）が測定（measurements）を行うことが可能になる。即ち、後方互換性（Backward  Compatibility）が担保される。
【０１１５】
（２）セルの選択
例えば、通信制御部１５３は、端末装置２００により行われる測定報告に基づいて、端末装置２００のためのセルを選択する。即ち、通信制御部１５３は、端末装置２００による測定報告の中で提供される測定報告情報に基づいて、端末装置２００のためのセルを選択する。
【０１１６】
（ａ）セル
例えば、基地局１００は、キャリアアグリゲーションをサポートする。この場合に、上記セルは、キャリアアグリゲーションのＰｃｅｌｌ（即ち、ＰＣＣ）又はＳｃｅｌｌ（即ち、ＳＣＣ）である。
【０１１７】
なお、基地局１００は、キャリアアグリゲーションをサポートしなくてもよく、この場合に、上記セルは、基地局１００の通信エリアを意味してもよく、又は基地局１００が使用する周波数帯域を意味してもよい。
【０１１８】
（ｂ）ハンドオーバ決定
例えば、通信制御部１５３は、端末装置２００のハンドオーバを決定する。即ち、通信制御部１５３は、端末装置２００についてのハンドオーバ決定（Handover  Decision）を行う。通信制御部１５３は、上記ハンドオーバ決定の際に、端末装置２００のためのターゲットセルを選択する。
【０１１９】
より具体的には、例えば、通信制御部１５３は、端末装置２００により行われる測定報告に基づいて、端末装置２００のためのターゲットセルを選択し、当該ターゲットセルへのハンドオーバを決定する。後述するように、当該測定報告は、上記測定用のリファレンス信号についての測定の結果に基づいて行われる報告である。
【０１２０】
例えば、基地局１００は、キャリアアグリゲーションをサポートし、上記ハンドオーバは、キャリアアグリゲーションのＰｃｅｌｌ（即ち、ＰＣＣ）のハンドオーバである。また、上記ターゲットセルは、新たなＰｃｅｌｌ（即ち、ＰＣＣ）である。
【０１２１】
なお、基地局１００は、キャリアアグリゲーションをサポートせず、上記ハンドオーバは、基地局間のハンドオーバ、又は周波数間ハンドオーバであってもよい。
【０１２２】
（ｂ）Ｓｃｅｌｌの追加
例えば、通信制御部１５３は、端末装置２００のためのＳｃｅｌｌ（即ち、ＳＣＣ）の追加を行う。通信制御部１５３は、追加するＳｃｅｌｌを選択する。
【０１２３】
より具体的には、例えば、通信制御部１５３は、端末装置２００により行われる測定報告に基づいて、端末装置２００のためのＳｃｅｌｌを選択し、当該Ｓｃｅｌｌのアクティベーションを行う。後述するように、当該測定報告は、上記測定用のリファレンス信号についての測定の結果に基づいて行われる報告である。
【０１２４】
＜３．２．端末装置の構成＞
次に、図１２を参照して、本開示の実施形態に係る端末装置２００の構成の一例を説明する。図１２は、本開示の実施形態に係る端末装置２００の構成の一例を示すブロック図である。図１２を参照すると、端末装置２００は、アンテナ部２１０、無線通信部２２０、記憶部２３０及び処理部２４０を備える。
【０１２５】
（アンテナ部２１０）
アンテナ部２１０は、無線通信部２２０により出力された信号を電波として空間に放射する。また、アンテナ部２１０は、空間の電波を信号に変換し、当該信号を無線通信部２２０へ出力する。
【０１２６】
（無線通信部２２０）
無線通信部２２０は、信号を送受信する。例えば、無線通信部２２０は、基地局１００へのダウンリンク信号を受信し、基地局１００へのアップリンク信号を送信する。
【０１２７】
（記憶部２３０）
記憶部１４０は、端末装置２００の動作のためのプログラム及びデータを記憶する。
【０１２８】
（処理部２４０）
処理部２４０は、端末装置２００の様々な機能を提供する。処理部２４０は、測定部２４１、情報取得部２４３、報告部２４５、及び通信制御部２４７を含む。なお、処理部２４０は、これらの構成要素以外の他の構成要素をさらに含み得る。即ち、処理部２４０は、これらの構成要素の動作以外の動作も行い得る。
【０１２９】
（測定部２４１）
測定部２４１は、ビームフォーミング用の複数の重みセットに含まれる重みセットごとに、重みセットに関連付けられた無線リソースを使用して送信される測定用のリファレンス信号であって、上記重みセットを乗算された上記リファレンス信号についての測定を行う。
【０１３０】
上述したように、基地局１００は、上記複数の重みセットに含まれる重みセットごとに、重みセットに関連付けられた無線リソースを使用して、当該重みセットを乗算された上記測定用のリファレンス信号を送信する。そして、測定部２４１は、上記複数の重みセットに含まれる重みセットごとに、当該無線リソースを使用して送信される上記測定用のリファレンス信号についての測定を行う。
【０１３１】
（ａ）無線リソースの知得
上述したように、例えば、基地局１００は、上記複数の重みセットの各々に関連付けられた無線リソースを端末装置２００に通知する。この場合に、測定部２４１は、基地局１００が通知する当該無線リソースを使用して送信される測定用のリファレンス信号についての測定を行う。
【０１３２】
なお、上述したように、上記複数の重みセットの各々に関連付けられた無線リソースは、あらかじめ定義された無線リソースであってもよい。この場合に、当該無線リソースを特定するための情報が、記憶部２３０に記憶されてもよい。そして、測定部２４１は、記憶部２３０に記憶される当該情報から特定される当該無線リソース（即ち、上記あらかじめ定義された無線リソース）を使用して送信される測定用のリファレンス信号についての測定を行う。
【０１３３】
（ｂ）測定
例えば、上記測定は、受信電力又は受信品質の測定である。即ち、測定部２４１は、上記測定用のリファレンス信号の受信電力又は受信品質の測定を行う。
【０１３４】
より具体的には、例えば、上記測定は、ＲＳＲＰ又はＲＳＲＱの測定である。即ち、測定部２４１は、上記測定用のリファレンス信号のＲＳＲＰ又はＲＳＲＱの測定を行う。
【０１３５】
なお、測定部２４１は、ＣＲＳについての測定と同様の手法で、上記測定用のリファレンス信号についての測定を行い得る。
【０１３６】
（ｃ）具体例
一例として、図７を再び参照すると、測定部２４１は、重みセットＶ（ｉ）（ｉ＝０〜３）ごとに、重みセットＶ（ｉ）に関連付けられたリソースエレメントを使用して送信される上記測定用のリファレンス信号のＲＳＲＰ及びＲＳＲＱの測定を行う。なお、図７には、２つのリソースブロックのみが示されているが、測定部２４１は、重みセットＶ（ｉ）に関連付けられたリソースエレメントを含む全てのリソースブロックを対象として、上記測定を行う。その結果、測定部２４１は、重みセットＶ（ｉ）（ｉ＝０〜３）ごとの測定の結果として、重みセットＶ（ｉ）（ｉ＝０〜３）ごとのＲＳＲＰ及びＲＳＲＱを生成する。
【０１３７】
（ｄ）対象となる基地局１００
当然ながら、測定部２４１は、１つの基地局１００について、上記測定用のリファレンス信号についての測定を行うのではなく、複数の基地局１００の各々について、上記測定用のリファレンス信号についての測定を行う。これにより、例えば、端末装置２００にとって望ましい基地局１００（又は基地局１００のセル）が選択され得る。
【０１３８】
また、例えば、基地局１００は、基地局１００が使用する１つの周波数帯域について、上記測定用のリファレンス信号についての測定を行うのではなく、基地局１００が使用する複数の周波数帯域（例えば、複数のＣＣ）の各々について、上記測定用のリファレンス信号についての測定を行う。これにより、例えば、端末装置２００にとって望ましい周波数帯域（例えば、ＰＣＣ又はＳＣＣ）が選択され得る。
【０１３９】
（情報取得部２４３）
情報取得部２４３は、上記複数の重みセットに含まれる重みセットごとに、重みセットに関連付けられた無線リソースを使用して送信される上記測定用のリファレンス信号であって、上記重みセットを乗算された上記リファレンス信号についての測定の結果を取得する。
【０１４０】
上述したように、例えば、測定部２４１は、上記複数の重みセットに含まれる重みセットごとに、上記測定を行う。その結果、測定部２４１は、上記複数の重みセットに含まれる重みセットごとに、上記測定の結果を生成する。そして、情報取得部２４３は、生成される当該測定の当該結果を取得する。
【０１４１】
（報告部２４５）
報告部２４５は、上記測定の上記結果に基づいて、基地局１００への測定報告を行う。
【０１４２】
（ａ）イベントトリガ報告（event-triggered  reporting）
例えば、報告部２４５は、上記測定の上記結果に関するイベントの発生に応じて、基地局１００への測定報告を行う。
【０１４３】
−イベント
上記イベントは、例えば、３ＧＰＰにおいて定義されるイベントＡ１〜Ａ６及びイベントＢ１〜Ｂ２のうちの１つ以上のイベントである。あるいは、上記イベントは、３ＧＰＰにおいて定義されるイベントＡ１〜Ａ６及びイベントＢ１〜Ｂ２のうちのいずれかにそれぞれ類似する１つ以上のイベントであってもよい。
【０１４４】
−測定報告
−−単位
例えば、報告部２４５は、上記複数の重みセットに含まれる重みセットごとに、基地局１００への測定報告を行う。
【０１４５】
具体的には、例えば、報告部２４５は、上記複数の重みセットに含まれる重みセットごとに、上記測定の上記結果に基づいてイベントが発生したかを判定する。そして、報告部２４５は、上記測定の上記結果に基づいて、イベントが発生したと判定する場合に、当該測定の当該結果についての測定報告を行う。
【０１４６】
これにより、例えば、いずれかのビームの伝送路の品質が良好である場合に、当該ビームが形成されるセルを選択することが可能になる。
【０１４７】
−−基地局１００に提供される情報
例えば、報告部２４５は、測定報告情報を基地局１００に提供することにより、基地局１００への測定報告を行う。
【０１４８】
例えば、上記測定報告情報は、上記測定の上記結果を含む。より具体的には、例えば、上記測定の上結果は、ＲＳＲＰ及び／又はＲＳＲＱである。
【０１４９】
また、例えば、上記測定報告情報は、上記測定用のリファレンス信号が送信されたセルのセル識別情報（例えば、セルＩＤ）を含む。
【０１５０】
また、例えば、上記測定報告情報は、上記測定の対象となった無線リソース（即ち、上記測定用のリファレンス信号が送信された無線リソース）に対応する識別情報を含む。当該識別情報は、重みセットに対応する識別情報とも言える。一例として、上記識別情報は、上記測定の対象となった無線リソースを識別するためのリソース識別情報（例えば、無線リソースのインデックス）である。あるいは、上記識別情報は、上記測定の対象となった無線リソースが関連付けられた重みセットを識別するための重み識別情報（例えば、重みセットのコードブックインデックス）であってもよい。このような識別情報により、端末装置２００は、測定報告に対応する無線リソース又は重みセットを基地局１００に通知することが可能になる。
【０１５１】
また、例えば、上記測定報告情報は、測定報告が、重みセットを乗算された測定用のリファレンス信号についての測定の結果に基づくものであること、を示す情報を含む。
【０１５２】
（ｂ）周期的な報告（periodic  reporting）
例えば、報告部２４５は、周期的に、基地局１００への測定報告を行う。
【０１５３】
−周期
一例として、報告部２４５は、基地局１００により指定される周期で、基地局１００への測定報告を行う。別の例として、報告部２４５は、あらかじめ定義された周期で、基地局１００への測定報告を行ってもよい。
【０１５４】
−測定報告
−−重みセット全体についての測定報告
第１の例として、報告部２４５は、上記複数の重みセット全体についての測定報告を行う。
【０１５５】
具体的には、例えば、報告部２４５は、上記複数の重みセットの各々についての測定の結果を含む測定報告情報を基地局１００に提供することにより、上記測定報告を行う。なお、各重みセットに対応する測定の結果を識別するために、上記測定報告情報は、上記複数の重みセットの重みセットごとに、測定の結果と、当該測定の対象となった無線リソースに対応する識別情報を含む。上述したように、当該識別情報は、上記無線リソースを識別するためのリソース識別情報あってもよく、又は、上記無線リソースが関連付けられた重みセットを識別するための重み識別情報であってもよい。
【０１５６】
−−重みセットごとの測定報告
第２の例として、報告部２４５は、上記複数の重みセットに含まれる重みセットごとに、基地局１００への測定報告を行ってもよい。
【０１５７】
具体的には、例えば、報告部２４５は、上記複数の重みセットに含まれる重みセットごとに、測定の結果を含む測定報告情報を基地局１００に提供することにより、上記測定報告を行ってもよい。当該測定報告情報の具体的な内容の説明は、イベントトリガ報告に関連して説明した測定報告情報と同じである。よって、ここでは重複する記載を省略する。
【０１５８】
以上のように、報告部２４５は、上記測定の上記結果に基づいて、基地局１００への測定報告を行う。これにより、例えば、ビームフォーミングが行われる場合に基地局１００が端末装置２００のために適切なセルを選択することが可能になる。
【０１５９】
（通信制御部２４７）
通信制御部２４７は、上記測定の上記結果に基づいて、端末装置２００のためのセルを選択する。
【０１６０】
例えば、通信制御部２４７は、端末装置２００がアイドル状態である場合に、上記測定の上記結果に基づいて、セル選択（Cell  Selection）／セル再選択（cell  reselection）を行う。より具体的には、例えば、通信制御部２４７は、端末装置２００がＲＲＣアイドルである場合に、上記測定の上記結果に基づいて、端末装置２００が通信を行うためのセル（例えば、ページングの受信のためのセル）を選択する。
【０１６１】
例えば、基地局１００は、キャリアアグリゲーションをサポートする。この場合に、上記セルは、キャリアアグリゲーションのＰｃｅｌｌ（即ち、ＰＣＣ）である。
【０１６２】
なお、基地局１００は、キャリアアグリゲーションをサポートしなくてもよく、この場合に、上記セルは、基地局１００の通信エリアを意味してもよく、又は基地局１００が使用する周波数帯域を意味してもよい。
【０１６３】
＜＜４．処理の流れ＞＞
続いて、図１３を参照して、本開示の実施形態に係る処理の例を説明する。図１３は、本開示の実施形態に係る処理の概略的な流れの一例を示すシーケンス図である。
【０１６４】
基地局１００（通信制御部１５３）は、ビームフォーミング用の複数の重みセットの各々に関連付けられた無線リソースを端末装置２００に通知する（Ｓ３０１）。例えば、基地局１００は、上記複数の重みセットの各々に関連付けられた上記無線リソースを特定するための情報（即ち、無線リソース情報）を端末装置２００に通知する。端末装置２００は、当該無線リソース情報を取得する。
【０１６５】
そして、基地局１００は、上記複数の重みセットに含まれる重みセットごとに、重みセットにあらかじめ関連付けられた無線リソースを使用して、当該重みセットを乗算された測定用のリファレンス信号（ＲＳ）を送信する（Ｓ３０３）。例えば、基地局１００（情報取得部１５１）は、上記複数の重みセットを取得する。そして、基地局１００（通信制御部１５３）は、上記複数の重みセットに含まれる重みセットごとに、重みセットにあらかじめ関連付けられた無線リソースに測定用のリファレンス信号をマッピングし、当該リファレンス信号に当該重みセットを乗算する。
【０１６６】
また、端末装置２００（測定部２４１）は、上記複数の重みセットに含まれる重みセットごとに、重みセットに関連付けられた無線リソースを使用して送信される測定用のリファレンス信号（上記重みセットを乗算された測定用のリファレンス信号）についての測定を行う（Ｓ３０５）。
【０１６７】
その後、端末装置２００（情報取得部２４３）は、上記複数の重みセットに含まれる重みセットごとに、上記測定の上記結果を取得し、端末装置２００（報告部２４５）は、上記測定の上記結果に基づいて、基地局１００への測定報告を行う（Ｓ３０７）。例えば、端末装置２００（報告部２４５）は、測定報告情報を基地局１００に提供することにより、基地局１００への測定報告を行う。
【０１６８】
＜＜５．変形例＞＞
続いて、図１４〜図２３を参照して、本実施形態の第１〜第３の変形例を説明する。
【０１６９】
＜５．１．第１の変形例＞
まず、図１４〜図１６を参照して、本実施形態の第１の変形例を説明する。
【０１７０】
本実施形態の第１の変形例では、上記複数の重みセットの各々に関連付けられた無線リソースは、ビームフォーミング用の重みセットを乗算された測定用のリファレンス信号を送信するために基地局１００の隣接基地局により使用される無線リソースとは異なる。
【０１７１】
これにより、例えば、端末装置２００は上記測定用のリファレンス信号についての測定をより正確に行うことが可能になる。
【０１７２】
（基地局１００：通信制御部１５３）
（１）測定用のリファレンス信号の送信の制御
上述したように、通信制御部１５３は、上記複数の重みセットに含まれる重みセットごとに、重みセットにあらかじめ関連付けられた無線リソースに測定用のリファレンス信号をマッピングし、当該リファレンス信号に当該重みセットを乗算する。
【０１７３】
（ａ）リファレンス信号のマッピング
本実施形態の第１の変形例では、上記重みセットにあらかじめ関連付けられた上記無線リソースは、ビームフォーミング用の重みセットを乗算された測定用のリファレンス信号を送信するために基地局１００の隣接基地局により使用される無線リソースとは異なる。
【０１７４】
即ち、基地局１００は、重みセットにあらかじめ関連付けられた無線リソースを使用して、当該重みセットが乗算された測定用のリファレンス信号を送信する。また、上記隣接基地局も、基地局１００と同様に、重みセットにあらかじめ関連付けられた無線リソースを使用して、当該重みセットが乗算された測定用のリファレンス信号を送信する。とりわけ第１の変形例では、基地局１００により使用される上記無線リソースは、上記隣接基地局により使用される上記無線リソースとは異なる。
【０１７５】
−同一のサブフレーム
例えば、上記重みセットにあらかじめ関連付けられた上記無線リソースは、上記隣接基地局により使用される上記無線リソースと同じサブフレームに存在する。
【０１７６】
さらに、例えば、上記重みセットにあらかじめ関連付けられた上記無線リソースは、上記隣接基地局により使用される上記無線リソースと同じの帯域のリソースブロックに含まれる。以下、この点について、図１４を参照して具体例を説明する。
【０１７７】
図１４は、重みセットにあらかじめ関連付けられた無線リソースと隣接基地局により使用される無線リソースとの関係の第１の例を説明するための説明図である。図１４を参照すると、サブフレーム３０内で時間方向に並ぶ２つのリソースブロックが示されている。例えば、データ領域３３のリソースエレメントが、セルｉ（ｉ＝０〜３）のために確保される。例えば、基地局１００は、セル０の基地局であり、通信制御部１５３は、セル０のために確保されたリソースエレメント（重みセットＶにあらかじめ関連付けられたリソースエレメント）に、測定用のリファレンス信号をマッピングする。その結果、基地局１００は、セル０のために確保されたリソースエレメントを使用して、重みセットＶを乗算された測定用のリファレンス信号を送信する。また、セルｉ（ｉ＝１〜３）の基地局は、例えば基地局１００の隣接基地局であり、セルｉの基地局は、セルｉのために確保されたリソースエレメントを使用して、重みセットＶを乗算された測定用のリファレンス信号を送信する。
【０１７８】
なお、上記重みセットにあらかじめ関連付けられた上記無線リソースは、上記隣接基地局により使用される上記無線リソースとは異なる帯域のリソースブロックに含まれてもよい。以下、この点について、図１５を参照して具体例を説明する。
【０１７９】
図１５は、重みセットにあらかじめ関連付けられた無線リソースと隣接基地局により使用される無線リソースとの関係の第２の例を説明するための説明図である。図１５を参照すると、サブフレーム３０のリソースブロックのペア４０が示されている。ペア４０は、周波数方向に並んでいる。また、各ペア４０は、時間方向に並ぶ２つのリソースブロックを含む。例えば、基地局１００は、セル０の基地局であり、通信制御部１５３は、リソースブロックのペア４０Ａ、４０Ｅなどに含まれる無線リソースに、測定用のリファレンス信号をマッピングする。その結果、基地局１００は、リソースブロックのペア４０Ａ、４０Ｅなどに含まれる無線リソースを使用して、重みセットＶを乗算された測定用のリファレンス信号を送信する。また、セル１〜３の基地局は、例えば基地局１００の隣接基地局である。そして、セル１の基地局は、リソースブロックのペア４０Ｂ、４０Ｆなどに含まれる無線リソースを使用して、重みセットＶを乗算された測定用のリファレンス信号を送信する。また、セル２の基地局は、リソースブロックのペア４０Ｃ、４０Ｇなどに含まれる無線リソースを使用して、重みセットＶを乗算された測定用のリファレンス信号を送信する。また、セル３の基地局は、リソースブロックのペア４０Ｄ、４０Ｈなどに含まれる無線リソースを使用して、重みセットＶを乗算された測定用のリファレンス信号を送信する。
【０１８０】
図１５に示されるように、同一の重みセットが乗算された測定のリファレンス信号は全ての周波数にわたって送信されなくてもよい。ビームフォーミングの効果は、周波数帯域間で特段の違いはないからである。これは、とりわけ周波数帯域が５ＧＨｚ帯のような高い周波数帯域である場合には顕著である。
【０１８１】
例えば以上のように、上記重みセットにあらかじめ関連付けられた上記無線リソースは、上記隣接基地局により使用される上記無線リソースと同じサブフレームに存在する。これにより、例えば、重みセットを乗算された測定用のリファレンス信号によるオーバーヘッドの増加をより少ないサブフレーム内に限定することが可能になる。
【０１８２】
−異なるサブフレーム
上記重みセットにあらかじめ関連付けられた上記無線リソースは、上記隣接基地局により使用される上記無線リソースとは異なるサブフレームに存在してもよい。以下、この点について、図１６を参照して具体例を説明する。
【０１８３】
図１６は、重みセットにあらかじめ関連付けられた無線リソースと隣接基地局により使用される無線リソースとの関係の第３の例を説明するための説明図である。図１６を参照すると、１０個のサブフレームを含む無線フレームが示されている。例えば、基地局１００は、セル０の基地局であり、通信制御部１５３は、サブフレーム番号が０、５であるサブフレームの無線リソースに、測定用のリファレンス信号をマッピングする。その結果、基地局１００は、サブフレーム番号が０、５であるサブフレームで、重みセットＶを乗算された測定用のリファレンス信号を送信する。また、セル１〜３の基地局は、例えば基地局１００の隣接基地局である。セル１の基地局は、サブフレーム番号が１、６であるサブフレームで、重みセットＶを乗算された測定用のリファレンス信号を送信する。また、セル２の基地局は、サブフレーム番号が２、７であるサブフレームで、重みセットＶを乗算された測定用のリファレンス信号を送信する。また、セル３の基地局は、サブフレーム番号が３、８であるサブフレームで、重みセットＶを乗算された測定用のリファレンス信号を送信する。
【０１８４】
これにより、例えば、重みセットを乗算された測定用のリファレンス信号によるオーバーヘッドの増加をサブフレーム間で分散させることが可能になる。
【０１８５】
−その他
なお、図１４〜図１５を参照して説明したような手法が、組み合せられてもよい。これにより、例えば、多数の測定用のリファレンス信号を送信することが可能になる。
【０１８６】
以上、本実施形態の第１の変形例を説明した。第１の変形例によれば、例えば、端末装置２００は上記測定用のリファレンス信号についての測定をより正確に行うことが可能になる。より具体的には、例えば、２つ以上の基地局が、同一の無線リソースを使用して、ビームフォーミング用の重みセットを乗算された測定用のリファレンス信号を送信すると、ビーム方向によっては、大きい干渉が発生する可能性がある。とりわけ上記ビームフォーミングがラージスケールＭＩＭＯのビームフォーミングであれば、非常の大きい干渉が発生する可能性がある。その結果、端末装置は、上記測定用のリファレンス信号についての測定を正確に行えない可能性がある。そこで、ビームフォーミング用の重みセットを乗算された測定用のリファレンス信号の送信のために使用される無線リソースが、隣接する基地局間で異なっていれば、端末装置２００は上記測定用のリファレンス信号についての測定をより正確に行い得る。
【０１８７】
＜５．２．第２の変形例＞
次に、図１７及び図１８を参照して、本実施形態の第２の変形例を説明する。
【０１８８】
本実施形態の第２の変形例では、基地局１００は、上記複数の重みセットのうちの選択された重みセットを復調用のリファレンス信号に乗算する。また、基地局１００は、当該選択された重みセットに関する情報を端末装置２００に通知する。
【０１８９】
また、本実施形態の第２の変形例では、端末装置２００は、上記複数の重みセットのうちの選択された重みセットを乗算されたリファレンス信号についての測定を行う。当該選択された重みセットに関する情報は、基地局１００が端末装置２００に通知する情報である。また、当該リファレンス信号は、上記選択された重みセットに関連付けられた無線リソースを使用して送信される測定用のリファレンス信号であって、上記選択された重みセットを乗算された上記測定用のリファレンス信号と、上記選択された重みセットを乗算された復調用のリファレンス信号とを含む。
【０１９０】
これにより、例えば、端末装置２００は、重みセットを乗算されたより多くのリファレンス信号を測定のために利用することが可能になる。その結果、測定の精度がより高くなり得る。あるいは、基地局１００は、送信する測定用のリファレンス信号の数を減らし得る。即ち、測定用のリファレンス信号の送信に使用する無線リソースが減少し得る。
【０１９１】
（基地局１００：通信制御部１５３）
（ｃ）その他
（ｃ−２）復調用のリファレンス信号
本実施形態の第２の変形例では、通信制御部１５３は、上記複数の重みセットのうちの選択された重みセットを復調用のリファレンス信号に乗算し、上記選択された重みセットに対応する識別情報（以下、「重み対応識別情報」と呼ぶ）を端末装置２００に通知する。
【０１９２】
−復調用の信号への選択された重みセットの乗算
例えば、上記選択された重みセットは、ビームフォーミングにより端末装置へ信号を送信するために選択された重みセットである。また、上記復調用のリファレンス信号は、当該端末装置による復調のためのＤＭ−ＲＳ（又はＵＥ固有リファレンス信号）である。即ち、通信制御部１５３は、ビームフォーミングにより端末装置へ信号を送信するために重みセットを選択し、選択された重みセットをＤＭ−ＲＳに乗算する。
【０１９３】
なお、上記端末装置は、本実施形態に係る端末装置２００であってもよく、又は、本実施形態の技術を適用されない端末装置（レガシー端末）であってもよい。
【０１９４】
−重み対応識別情報の通知
−−通知の手法
例えば、通信制御部１５３は、ダウンリンク制御情報（Downlink  Control  Information：ＤＣＩ）の中で、上記重み対応識別情報を端末装置２００に通知する。
【０１９５】
具体的には、例えば、通信制御部１５３は、上記重み対応識別情報を含むＤＣＩを生成する。そして、通信制御部１５３は、当該ＤＣＩの信号をＰＤＣＣＨの無線リソースにマッピングする。この点について、図１７を参照して具体例を説明する。
【０１９６】
図１７は、復調用のリファレンス信号及び重み対応識別情報の送信の例を説明するための説明図である。図１７を参照すると、サブフレーム３０内で時間方向に並ぶ２つのリソースブロックが示されている。例えば、基地局１００は、データ領域３３のリソースエレメントを使用してＤＭ−ＲＳを送信する。また、基地局１００は、制御領域３１のＰＤＣＣＨのリソースエレメントを使用して、上記重み対応識別情報を含むＤＣＩを送信する。
【０１９７】
これにより、例えば、復調用のリファレンス信号の送信のたびに、上記重み対応識別情報を端末装置２００に通知することが可能になる。
【０１９８】
−−重み対応識別情報
例えば、上記重み対応識別情報（即ち、上記選択された重みセットに対応する上記識別情報）は、上記選択された重みセットに関連付けられた無線リソースを識別するためのリソース識別情報（例えば、無線リソースのインデックス）である。あるいは、上記重み対応識別情報は、上記選択された重みセットを識別するための重み識別情報（例えば、重みセットのコードブックインデックス）であってもよい。
【０１９９】
これにより、例えば、端末装置２００は、上記選択された重みセットを乗算される測定用のリファレンス信号が送信される無線リソースを知ることが可能になる。そのため、端末装置２００は、上記選択された重みセットを乗算されるリファレンス信号についての測定のために、測定用のリファレンス信号及び復調用のリファレンス信号の両方を利用し得る。即ち、端末装置２００は、重みセットを乗算されたより多くのリファレンス信号を測定のために利用し得る。その結果、測定の精度がより高くなり得る。あるいは、基地局１００は、送信する測定用のリファレンス信号の数を減らし得る。即ち、測定用のリファレンス信号の送信に使用する無線リソースが減少し得る。
【０２００】
（端末装置２００：測定部２４１）
本実施形態の第２の変形例では、測定部２４１は、上記複数の重みセットのうちの選択された重みセットを乗算されたリファレンス信号についての測定を行う。
【０２０１】
−選択された重みセット
上述したように、例えば、上記選択された重みセットは、ビームフォーミングにより端末装置へ信号を送信するために選択された重みセットである。なお、当該端末装置は、端末装置２００自身、他の端末装置２００、又は、本実施形態の技術を適用されない端末装置（レガシー端末）であってもよい。
【０２０２】
上述したように、例えば、上記選択された重みセットに対応する識別情報（即ち、重み対応識別情報）は、基地局１００が端末装置２００に通知する情報である。当該重み対応識別情報は、上記選択された重みセットに関連付けられた無線リソースを識別するためのリソース識別情報である。あるいは、上記重み対応識別情報は、上記選択された重みセットを識別するための重み識別情報であってもよい。そのため、端末装置２００（測定部２４１）は、上記選択された重みセットを乗算される測定用のリファレンス信号が送信される無線リソースを知ることができる。
【０２０３】
−リファレンス信号
また、上記選択された重みセットを乗算された上記リファレンス信号は、上記選択された重みセットに関連付けられた無線リソースを使用して送信される測定用のリファレンス信号（上記選択された重みセットを乗算された測定用のリファレンス信号）と、上記選択された重みセットを乗算された復調用のリファレンス信号とを含む。即ち、測定部２４１は、上記選択された重みセットを乗算された上記測定用のリファレンス信号及び復調用のリファレンス信号を含むリファレンス信号についての測定を行う。
【０２０４】
これにより、例えば、端末装置２００は、重みセットを乗算されたより多くのリファレンス信号を測定のために利用することが可能になる。その結果、測定の精度がより高くなり得る。あるいは、基地局１００は、送信する測定用のリファレンス信号の数を減らし得る。即ち、測定用のリファレンス信号の送信に使用する無線リソースが減少し得る。
【０２０５】
なお、上記選択された重みセットを乗算された上記リファレンス信号は、上記選択された重みセットを乗算された復調用のリファレンス信号のうちの、所定の条件を満たす復調用のリファレンス信号のみを含んでもよい。例えば、当該所定の条件は、上記選択された重みセットを乗算された復調用のリファレンス信号の送信に使用された無線リソースが、上記選択された重みセットを乗算された測定用のリファレンス信号の送信に使用された無線リソースの近傍に位置することであってもよい。
【０２０６】
（処理の流れ）
図１８は、本開示の実施形態の第２の変形例に係る処理の概略的な流れの一例を示すシーケンス図である。
【０２０７】
基地局１００（通信制御部１５３）は、ビームフォーミング用の複数の重みセットの各々に関連付けられた無線リソースを端末装置２００に通知する（Ｓ３２１）。例えば、基地局１００は、上記複数の重みセットの各々に関連付けられた上記無線リソースを特定するための情報（即ち、無線リソース情報）を端末装置２００に通知する。端末装置２００は、当該無線リソース情報を取得する。
【０２０８】
そして、基地局１００（通信制御部１５３）は、上記複数の重みセットに含まれる重みセットごとに、重みセットにあらかじめ関連付けられた無線リソースを使用して、当該重みセットを乗算された測定用のリファレンス信号（ＲＳ）を送信する（Ｓ３２３）。
【０２０９】
また、基地局１００（通信制御部１５３）は、例えばＤＣＩの中で、上記複数の重みセットのうちの選択された重みセットに対応する識別情報（即ち、重み対応識別情報）を端末装置２００に通知する。また、基地局１００（通信制御部１５３）は、上記選択された重みセットを乗算された復調用のリファレンス信号を送信する（Ｓ３２５）。
【０２１０】
また、端末装置２００（測定部２４１）は、上記複数の重みセットに含まれる重みセットごとに、上記重みセットを乗算されたリファレンス信号についての測定を行う（Ｓ３２７）。とりわけ、端末装置２００（測定部２４１）は、上記複数の重みセットのうちの選択された重みセットを乗算されたリファレンス信号についての測定を行う。当該リファレンス信号は、上記選択された重みセットを乗算された測定用のリファレンス信号及び復調用のリファレンス信号を含む。
【０２１１】
その後、端末装置２００（情報取得部２４３）は、上記複数の重みセットに含まれる重みセットごとに、上記測定の上記結果を取得し、端末装置２００（報告部２４５）は、上記測定の上記結果に基づいて、基地局１００への測定報告を行う（Ｓ３２９）。例えば、端末装置２００（報告部２４５）は、測定報告情報を基地局１００に提供することにより、基地局１００への測定報告を行う。
【０２１２】
以上、本実施形態の第２の変形例を説明した。第２の変形例によれば、例えば、端末装置２００は、重みセットを乗算されたより多くのリファレンス信号を測定のために利用することが可能になる。その結果、測定の精度がより高くなり得る。あるいは、基地局１００は、送信する測定用のリファレンス信号の数を減らし得る。即ち、測定用のリファレンス信号の送信に使用する無線リソースが減少し得る。
【０２１３】
＜５．３．第３の変形例＞＞
次に、図１９〜図２３を参照して、本実施形態の第３の変形例を説明する。
【０２１４】
本実施形態の第３の変形例では、ビームフォーミング用の上記複数の重みセットは、ラージスケールＭＩＭＯに使用可能な指向性アンテナに含まれる複数のアンテナ素子の１つ以上のサブセットのための重みセットである。
【０２１５】
これにより、例えば、測定用のリファレンス信号が乗算される重みセットの数を減らすことが可能になる。その結果、基地局１００は、送信する測定用のリファレンス信号の数を減らし得る。即ち、測定用のリファレンス信号の送信に使用する無線リソースが減少し得る。
【０２１６】
（基地局１００：情報取得部１５１）
上述したように、情報取得部１５１は、ビームフォーミング用の複数の重みセットを取得する。
【０２１７】
（ａ）重みセット
本実施形態の第４の変形例では、上記複数の重みセットは、ラージスケールＭＩＭＯに使用可能な指向性アンテナに含まれる複数のアンテナ素子の１つ以上のサブセットのための重みセットである。
【０２１８】
例えば、上記指向性アンテナに含まれる上記複数のアンテナ素子は、第１の方向及び第２の方向に並ぶ。また、上記１つ以上のサブセットは、上記複数のアンテナ素子のうちの上記第１の方向に並ぶアンテナ素子を含む第１のサブセットと、上記複数のアンテナ素子のうちの上記第２の方向に並ぶアンテナ素子を含む第２のサブセットとを含む。また、例えば、上記第１の方向及び上記第２の方向は、互いに直交する。以下、この点について図１９を参照して具体例を説明する。
【０２１９】
図１９は、指向性アンテナに含まれる複数のアンテナ素子のサブセットを説明するための説明図である。図１９を参照すると、指向性アンテナ１０１が示されている。指向性アンテナ１０１は、複数のアンテナ素子１０３（１００個のアンテナ素子）を含む。より具体的には、この例では、指向性アンテナ１０１において、第１の方向５１に１０個のアンテナ素子１０３が並び、第１の方向５１に直交する第２の方向５３に１０個のアンテナ素子１０３が並ぶ。例えば、上記複数の重みセットは、第１の方向５１に並ぶアンテナ素子１０３を含む第１のサブセット１０５のための重みセットと、第２の方向５３に並ぶアンテナ素子１０３を含む第２のサブセット１０７のための重みセットとを含む。即ち、情報取得部１５１は、第１のサブセット１０５のための重みセットと第２のサブセット１０７のための重みセットとを含む複数の重みセットを取得する。
【０２２０】
一例として、上記第１の方向は略鉛直方向であり、上記第２の方向は略水平方向である。
【０２２１】
（基地局１００：通信制御部１５３）
（１）測定用のリファレンス信号の送信の制御
上述したように、通信制御部１５３は、上記複数の重みセットに含まれる重みセットごとに、重みセットにあらかじめ関連付けられた無線リソースに測定用のリファレンス信号をマッピングし、当該リファレンス信号に当該重みセットを乗算する。
【０２２２】
（ａ）リファレンス信号のマッピング
図２０を参照して、第３の変形例に係る、重みセットにあらかじめ関連付けられた無線リソースの例を説明する。図２０は、第３の変形例に係る、重みセットにあらかじめ関連付けられた無線リソースの第１の例を説明するための説明図である。図２０を参照すると、サブフレーム３０内で時間方向に並ぶ２つのリソースブロックが示されている。例えば、データ領域３３のリソースエレメントが、第１のサブセットのための重みセットＶ１（ｉ）（ｉ＝０，１）に関連付けられている。また、データ領域３３の別のリソースエレメントが、第２のサブセットのための重みセットＶ２（ｉ）（ｉ＝０，１）に関連付けられている。そして、通信制御部１５３は、これらのリソースエレメントに測定用のリファレンス信号をマッピングする。
【０２２３】
（ｂ）重み係数の乗算
上述したように、通信制御部１５３は、上記複数の重みセットに含まれる重みセットごとに、重みセットにあらかじめ関連付けられた無線リソースにマッピングされた測定用のリファレンス信号に、当該重みセットを乗算する。
【０２２４】
具体例として、図２０を再び参照すると、上記第１のサブセットのための重みセットＶ１（ｉ）（ｉ＝０，１）に関連付けられたリソースエレメントにマッピングされた測定用のリファレンス信号は、重みセットＶ１（ｉ）を乗算される。そして、重みセットＶ１（ｉ）を乗算された上記測定用のリファレンス信号は、上記第１のサブセット（即ち、第１の方向に並ぶアンテナ素子）から送信される。また、上記第２のサブセットのための重みセットＶ２（ｉ）（ｉ＝０，１）に関連付けられたリソースエレメントにマッピングされた測定用のリファレンス信号は、重みセットＶ２（ｉ）を乗算される。そして、重みセットＶ２（ｉ）を乗算された上記測定用のリファレンス信号は、上記第２のサブセット（即ち、第２の方向に並ぶアンテナ素子）から送信される。
【０２２５】
（端末装置２００：測定部２４１）
上述したように、測定部２４１は、上記複数の重みセットに含まれる重みセットごとに、重みセットに関連付けられた無線リソースを使用して送信される測定用のリファレンス信号（上記重みセットを乗算されたリファレンス信号）についての測定を行う。
【０２２６】
（ｃ）具体例
一例として、図２０を再び参照すると、測定部２４１は、上記第１のサブセットのための重みセットＶ１（ｉ）（ｉ＝０，１）ごとに、重みセットＶ１（ｉ）に関連付けられたリソースエレメントを使用して送信される上記測定用のリファレンス信号のＲＳＲＰ及びＲＳＲＱの測定を行う。図２０には、２つのリソースブロックのみが示されているが、測定部２４１は、重みセットＶ１（ｉ）に関連付けられたリソースエレメントを含む全てのリソースブロックを対象として、上記測定を行う。その結果、測定部２４１は、重みセットＶ１（ｉ）（ｉ＝０，１）ごとの測定の結果として、重みセットＶ１（ｉ）（ｉ＝０，１）ごとのＲＳＲＰ及びＲＳＲＱを生成する。また、測定部２４１は、上記第２のサブセットのための重みセットＶ２（ｉ）（ｉ＝０，１）ごとに、重みセットＶ２（ｉ）に関連付けられたリソースエレメントを使用して送信される上記測定用のリファレンス信号のＲＳＲＰ及びＲＳＲＱの測定を行う。図２０には、２つのリソースブロックのみが示されているが、測定部２４１は、重みセットＶ２（ｉ）に関連付けられたリソースエレメントを含む全てのリソースブロックを対象として、上記測定を行う。その結果、測定部２４１は、重みセットＶ２（ｉ）（ｉ＝０，１）ごとの測定の結果として、重みセットＶ２（ｉ）（ｉ＝０，１）ごとのＲＳＲＰ及びＲＳＲＱを生成する。
【０２２７】
（端末装置２００：報告部２４５）
第３の変形例では、報告部２４５は、上記第１のサブセットの重みセットを乗算されたリファレンス信号についての測定の結果と、上記第２のサブセットの重みセットを乗算されたリファレンス信号についての測定の結果とに基づいて、基地局１００への測定報告を行う。
【０２２８】
第３の変形例では、例えば、報告部２４５は、上記第１のサブセットの重みセットを乗算されたリファレンス信号についての測定の結果と、上記第２のサブセットの重みセットを乗算されたリファレンス信号についての測定の結果とに基づいて、統合された測定の結果を生成する。そして、報告部２４５は、当該統合された測定の結果に基づいて、基地局１００への測定報告を行う。
【０２２９】
具体的には、例えば、報告部２４５は、上記第１のサブセットの重みセットを乗算されたリファレンス信号についての測定の結果であるＲＳＲＰ（ｄＢｍ）と、上記第２のサブセットの重みセットを乗算されたリファレンス信号についての測定の結果であるＲＳＲＰ（ｄＢｍ）とを加算することにより、統合された測定の結果である統合ＲＳＲＰを生成する。そして、報告部２４５は、当該統合ＲＳＲＰに基づいて、基地局１００への測定報告を行う。なお、報告部２４５は、例えば、測定の結果がＲＳＲＱであるケースでも、測定の結果がＲＳＲＰである上記ケースと同様に、統合ＲＳＲＱを生成することができる。
【０２３０】
これにより、例えば、上記指向性アンテナに含まれる上記複数のアンテナ素子から測定用のリファレンス信号が送信される場合と同様に、セルの選択が行われ得る。
【０２３１】
なお、端末装置２００（報告部２４５）が、上記統合された測定の結果（例えば、統合ＲＳＲＰ）を生成する代わりに、基地局１００が、上記統合された測定の結果を生成してもよい。即ち、基地局１００（通信制御部１５３）が、上記第１のサブセットの重みセットを乗算されたリファレンス信号についての測定の結果と、上記第２のサブセットの重みセットを乗算されたリファレンス信号についての測定の結果とに基づいて、統合された測定の結果を生成してもよい。この場合に、端末装置２００（報告部２４５）は、上記第１のサブセットの重みセットを乗算されたリファレンス信号についての測定の結果と、上記第１のサブセットの重みセットを乗算されたリファレンス信号についての測定の結果とを、測定報告の中で、基地局１００に提供してもよい。
【０２３２】
（一方のサブセットのみのケース）
上述したように、例えば、上記複数の重みセットは、上記複数のアンテナ素子の１つ以上のサブセットのための重みセットである。また、当該１つ以上のサブセットは、上記第１の方向に並ぶアンテナ素子を含む上記第１のサブセットと、上記第２の方向に並ぶアンテナ素子を含む上記第２のサブセットとを含む。しかしながら、第３の変形例は係る例に限定されない。
【０２３３】
上記複数の重みセットは、上記第１の方向及び上記第２の方向の一方に並ぶアンテナ素子を含むサブセットであってもよい。即ち、上記複数の重みセットは、上記第１のサブセット及び上記第１のサブセットのうちの一方であってもよい。
【０２３４】
図２０を再び参照すると、例えば、データ領域３３のリソースエレメントが、第１のサブセットのための重みセットＶ１（ｉ）（ｉ＝０，１）に関連付けられていてもよい。そして、通信制御部１５３は、当該リソースエレメントに測定用のリファレンス信号をマッピングしてもよい。一方、データ領域３３のいずれのリソースエレメントも、第２のサブセットのための重みセットＶ２（ｉ）（ｉ＝０，１）に関連付けられていなくてもよい。
【０２３５】
一例として、上記第１の方向及び上記第２の方向の上記一方は、略鉛直方向であってもよく、あるいは略水平方向であってもよい。
【０２３６】
これにより、例えば、測定用のリファレンス信号が乗算される重みセットの数をさらに減らすことが可能になる。
【０２３７】
（処理の流れ）
（ａ）第１の例
図２１は、本開示の実施形態の第３の変形例に係る処理の概略的な流れの第１の例を示すシーケンス図である。
【０２３８】
基地局１００（通信制御部１５３）は、ビームフォーミング用の複数の重みセットの各々に関連付けられた無線リソースを端末装置２００に通知する（Ｓ３４１）。例えば、基地局１００は、上記複数の重みセットの各々に関連付けられた上記無線リソースを特定するための情報（即ち、無線リソース情報）を端末装置２００に通知する。端末装置２００は、当該無線リソース情報を取得する。
【０２３９】
そして、基地局１００は、第１のサブセットのための重みセットごとに、重みセットにあらかじめ関連付けられた無線リソースを使用して、当該重みセットを乗算された測定用のリファレンス信号（ＲＳ）を送信する（Ｓ３４３）。また、基地局１００は、第２のサブセットのための重みセットごとに、重みセットにあらかじめ関連付けられた無線リソースを使用して、当該重みセットを乗算された測定用のリファレンス信号（ＲＳ）を送信する（Ｓ３４３）。上記第１のサブセットは、ラージスケールＭＩＭＯに使用可能な指向性アンテナに含まれる複数のアンテナ素子のうちの第１の方向に並ぶアンテナ素子を含み、上記第２のサブセットは、上記複数のアンテナ素子のうちの第２の方向に並ぶアンテナ素子を含む。
【０２４０】
また、端末装置２００（測定部２４１）は、上記第１のサブセットのための重みセットごとに、重みセットに関連付けられた無線リソースを使用して送信される測定用のリファレンス信号（上記重みセットを乗算された測定用のリファレンス信号）についての測定を行う（Ｓ３４５）。
【０２４１】
また、端末装置２００（測定部２４１）は、上記第２のサブセットのための重みセットごとに、重みセットに関連付けられた無線リソースを使用して送信される測定用のリファレンス信号（上記重みセットを乗算された測定用のリファレンス信号）についての測定を行う（Ｓ３４７）。
【０２４２】
その後、端末装置２００（情報取得部２４３）は、上記第１のサブセットの重みセットを乗算された測定用のリファレンス信号についての測定の結果と、上記第２のサブセットの重みセットを乗算された測定用のリファレンス信号についての測定の結果とを取得する。さらに、端末装置２００（報告部２４５）は、上記第１のサブセットの重みセットを乗算された測定用のリファレンス信号についての測定の結果と、上記第２のサブセットの重みセットを乗算された測定用のリファレンス信号についての測定の結果とに基づいて、統合された測定の結果を生成する（Ｓ３４９）。
【０２４３】
そして、端末装置２００（報告部２４５）は、上記統合された測定の結果に基づいて、基地局１００への測定報告を行う（Ｓ３５１）。例えば、端末装置２００（報告部２４５）は、測定報告情報を基地局１００に提供することにより、基地局１００への測定報告を行う。当該測定報告情報は、例えば、上記統合された測定の結果を含む。
【０２４４】
（ｂ）第２の例
図２２は、本開示の実施形態の第３の変形例に係る処理の概略的な流れの第２の例を示すシーケンス図である。ここで、ステップＳ３６１〜Ｓ３６７についての説明は、図２１を参照して説明したステップＳ３４１〜Ｓ３４７についての説明と同じである。よって、ここでは、ステップＳ３７１〜Ｓ３７３のみを説明する。
【０２４５】
端末装置２００（情報取得部２４３）は、上記第１のサブセットの重みセットを乗算された測定用のリファレンス信号についての測定の結果と、上記第２のサブセットの重みセットを乗算された測定用のリファレンス信号についての測定の結果とを取得する。そして、端末装置２００（報告部２４５）は、取得された測定の結果に基づいて、基地局１００への測定報告を行う（Ｓ３７１）。例えば、端末装置２００（報告部２４５）は、測定報告情報を基地局１００に提供することにより、基地局１００への測定報告を行う。当該測定報告情報は、例えば、上記第１のサブセットの重みセットを乗算された測定用のリファレンス信号についての測定の結果と、上記第２のサブセットの重みセットを乗算された測定用のリファレンス信号についての測定の結果とを含む。
【０２４６】
その後、基地局１００（通信制御部１５３）は、上記第１のサブセットの重みセットを乗算された測定用のリファレンス信号についての測定の結果と、上記第２のサブセットの重みセットを乗算された測定用のリファレンス信号についての測定の結果とに基づいて、統合された測定の結果を生成する（Ｓ３７３）。
【０２４７】
（ｃ）第３の例
図２３は、本開示の実施形態の第３の変形例に係る処理の概略的な流れの第３の例を示すシーケンス図である。
【０２４８】
基地局１００（通信制御部１５３）は、ビームフォーミング用の複数の重みセットの各々に関連付けられた無線リソースを端末装置２００に通知する（Ｓ３８１）。例えば、基地局１００は、上記複数の重みセットの各々に関連付けられた上記無線リソースを特定するための情報（即ち、無線リソース情報）を端末装置２００に通知する。端末装置２００は、当該無線リソース情報を取得する。
【０２４９】
そして、基地局１００は、第１のサブセットのための重みセットごとに、重みセットにあらかじめ関連付けられた無線リソースを使用して、当該重みセットを乗算された測定用のリファレンス信号（ＲＳ）を送信する（Ｓ３８３）。上記第１のサブセットは、ラージスケールＭＩＭＯに使用可能な指向性アンテナに含まれる複数のアンテナ素子のうちの第１の方向に並ぶアンテナ素子を含む。
【０２５０】
また、端末装置２００（測定部２４１）は、上記第１のサブセットのための重みセットごとに、重みセットに関連付けられた無線リソースを使用して送信される測定用のリファレンス信号（上記重みセットを乗算された測定用のリファレンス信号）についての測定を行う（Ｓ３８５）。
【０２５１】
その後、端末装置２００（情報取得部２４３）は、上記第１のサブセットの重みセットを乗算された測定用のリファレンス信号についての測定の結果を取得する。さらに、端末装置２００（報告部２４５）は、取得された測定の結果に基づいて、基地局１００への測定報告を行う（Ｓ３８７）。例えば、端末装置２００（報告部２４５）は、測定報告情報を基地局１００に提供することにより、基地局１００への測定報告を行う。当該測定報告情報は、例えば、上記第１のサブセットの重みセットを乗算された測定用のリファレンス信号についての測定の結果を含む。
【０２５２】
以上、本実施形態の第３の変形例を説明した。第３の変形例によれば、例えば、測定用のリファレンス信号が乗算される重みセットの数を減らすことが可能になる。その結果、基地局１００は、送信する測定用のリファレンス信号の数を減らし得る。即ち、測定用のリファレンス信号の送信に使用する無線リソースが減少し得る。
【０２５３】
＜＜６．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０２５４】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０２５５】
＜６．１．基地局に関する応用例＞
（第１の応用例）
図２４は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２５６】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２４に示したように複数のアンテナ８１０を有し、複数のアンテナ８１０は、例えばｅＮＢ８００が使用する複数の周波数帯域にそれぞれ対応してもよい。なお、図２４にはｅＮＢ８００が複数のアンテナ８１０を有する例を示したが、ｅＮＢ８００は単一のアンテナ８１０を有してもよい。
【０２５７】
基地局装置８２０は、コントローラ８２１、メモリ８２２、ネットワークインタフェース８２３及び無線通信インタフェース８２５を備える。
【０２５８】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２５９】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２６０】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２６１】
無線通信インタフェース８２５は、図２４に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２４に示したように複数のＲＦ回路８２７を含み、複数のＲＦ回路８２７は、例えば複数のアンテナ素子にそれぞれ対応してもよい。なお、図２４には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２６２】
図２４に示したｅＮＢ８００において、図６を参照して説明した情報取得部１５１及び通信制御部１５３は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又コントローラ８２１を含むモジュールを搭載し、当該モジュールにおいて情報取得部１５１及び通信制御部１５３が実装されてもよい。この場合に、上記モジュールは、プロセッサを情報取得部１５１及び通信制御部１５３として機能させるためのプログラム（換言すると、プロセッサに情報取得部１５１及び通信制御部１５３の動作を実行させるためのプログラム）を記憶し、当該プログラムを実行してもよい。別の例として、プロセッサを情報取得部１５１及び通信制御部１５３として機能させるためのプログラムがｅＮＢ８００にインストールされ、無線通信インタフェース８２５（例えば、ＢＢプロセッサ８２６）及び／又コントローラ８２１が当該プログラムを実行してもよい。以上のように、情報取得部１５１及び通信制御部１５３を備える装置としてｅＮＢ８００、基地局装置８２０又は上記モジュールが提供されてもよく、プロセッサを情報取得部１５１及び通信制御部１５３として機能させるためのプログラムが提供されてもよい。また、上記プログラムを記録した読み取り可能な記録媒体が提供されてもよい。
【０２６３】
また、図２４に示したｅＮＢ８００において、図６を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。
【０２６４】
（第２の応用例）
図２５は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２６５】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２５に示したように複数のアンテナ８４０を有し、複数のアンテナ８４０は、例えばｅＮＢ８３０が使用する複数の周波数帯域にそれぞれ対応してもよい。なお、図２５にはｅＮＢ８３０が複数のアンテナ８４０を有する例を示したが、ｅＮＢ８３０は単一のアンテナ８４０を有してもよい。
【０２６６】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２４を参照して説明したコントローラ８２１、メモリ８２２及びネットワークインタフェース８２３と同様のものである。
【０２６７】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２４を参照して説明したＢＢプロセッサ８２６と同様のものである。無線通信インタフェース８５５は、図２５に示したように複数のＢＢプロセッサ８５６を含み、複数のＢＢプロセッサ８５６は、例えばｅＮＢ８３０が使用する複数の周波数帯域にそれぞれ対応してもよい。なお、図２５には無線通信インタフェース８５５が複数のＢＢプロセッサ８５６を含む例を示したが、無線通信インタフェース８５５は単一のＢＢプロセッサ８５６を含んでもよい。
【０２６８】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２６９】
また、ＲＲＨ８６０は、接続インタフェース８６１及び無線通信インタフェース８６３を備える。
【０２７０】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２７１】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２５に示したように複数のＲＦ回路８６４を含み、複数のＲＦ回路８６４は、例えば複数のアンテナ素子にそれぞれ対応してもよい。なお、図２５には無線通信インタフェース８６３が複数のＲＦ回路８６４を含む例を示したが、無線通信インタフェース８６３は単一のＲＦ回路８６４を含んでもよい。
【０２７２】
図２５に示したｅＮＢ８３０において、図６を参照して説明した情報取得部１５１及び通信制御部１５３は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて情報取得部１５１及び通信制御部１５３が実装されてもよい。この場合に、上記モジュールは、プロセッサを情報取得部１５１及び通信制御部１５３として機能させるためのプログラム（換言すると、プロセッサに情報取得部１５１及び通信制御部１５３の動作を実行させるためのプログラム）を記憶し、当該プログラムを実行してもよい。別の例として、プロセッサを情報取得部１５１及び通信制御部１５３として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、情報取得部１５１及び通信制御部１５３を備える装置としてｅＮＢ８３０、基地局装置８５０又は上記モジュールが提供されてもよく、プロセッサを情報取得部１５１及び通信制御部１５３として機能させるためのプログラムが提供されてもよい。また、上記プログラムを記録した読み取り可能な記録媒体が提供されてもよい。
【０２７３】
また、図２５に示したｅＮＢ８３０において、例えば、図６を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。
【０２７４】
＜６．２．端末装置に関する応用例＞
（第１の応用例）
図２６は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２７５】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２７６】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２７７】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２６に示したように複数のＢＢプロセッサ９１３及び複数のＲＦ回路９１４を含んでもよい。なお、図２６には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２７８】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２７９】
アンテナスイッチ９１５の各々は、無線通信インタフェース９１２に含まれる複数の回路（例えば、異なる無線通信方式のための回路）の間でアンテナ９１６の接続先を切り替える。
【０２８０】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２６に示したように複数のアンテナ９１６を有してもよい。なお、図２６にはスマートフォン９００が複数のアンテナ９１６を有する例を示したが、スマートフォン９００は単一のアンテナ９１６を有してもよい。
【０２８１】
さらに、スマートフォン９００は、無線通信方式ごとにアンテナ９１６を備えてもよい。その場合に、アンテナスイッチ９１５は、スマートフォン９００の構成から省略されてもよい。
【０２８２】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２６に示したスマートフォン９００の各ブロックへ電力を供給する。補助コントローラ９１９は、例えば、スリープモードにおいて、スマートフォン９００の必要最低限の機能を動作させる。
【０２８３】
図２６に示したスマートフォン９００において、図１２を参照して説明した処理部２４０に含まれる１つ以上の構成要素（測定部２４１、情報取得部２４３、報告部２４５及び／又は通信制御部２４７）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２８４】
また、図２６に示したスマートフォン９００において、例えば、図１２を参照して説明した無線通信部２２０は、無線通信インタフェース９１２（例えば、ＲＦ回路９１４）において実装されてもよい。また、アンテナ部２１０は、アンテナ９１６において実装されてもよい。
【０２８５】
（第２の応用例）
図２７は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２８６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２８７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２８８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２８９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２７に示したように複数のＢＢプロセッサ９３４及び複数のＲＦ回路９３５を含んでもよい。なお、図２７には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２９０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２９１】
アンテナスイッチ９３６の各々は、無線通信インタフェース９３３に含まれる複数の回路（例えば、異なる無線通信方式のための回路）の間でアンテナ９３７の接続先を切り替える。
【０２９２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２７に示したように複数のアンテナ９３７を有してもよい。なお、図２７にはカーナビゲーション装置９２０が複数のアンテナ９３７を有する例を示したが、カーナビゲーション装置９２０は単一のアンテナ９３７を有してもよい。
【０２９３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２９４】
バッテリー９３８は、図中に破線で部分的に示した給電ラインを介して、図２７に示したカーナビゲーション装置９２０の各ブロックへ電力を供給する。また、バッテリー９３８は、車両側から給電される電力を蓄積する。
【０２９５】
図２７に示したカーナビゲーション装置９２０において、図１２を参照して説明した処理部２４０に含まれる１つ以上の構成要素（測定部２４１、情報取得部２４３、報告部２４５及び／又は通信制御部２４７）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２９６】
また、図２７に示したカーナビゲーション装置９２０において、例えば、図１２を参照して説明した無線通信部２２０は、無線通信インタフェース９３３（例えば、ＲＦ回路９３５）において実装されてもよい。また、アンテナ部２１０は、アンテナ９３７において実装されてもよい。
【０２９７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、上記１つ以上の構成要素（測定部２４１、情報取得部２４３、報告部２４５及び／又は通信制御部２４７）を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２９８】
＜＜７．まとめ＞＞
ここまで、図３〜図２７を参照して、本開示の実施形態に係る装置及び処理を説明した。
【０２９９】
本開示に係る実施形態によれば、基地局１００は、ビームフォーミング用の複数の重みセットを取得する情報取得部１５１と、上記複数の重みセットに含まれる重みセットごとに、重みセットにあらかじめ関連付けられた無線リソースに測定用のリファレンス信号をマッピングし、当該リファレンス信号に当該重みセットを乗算する通信制御部１５３と、を備える。
【０３００】
また、本開示に係る実施形態によれば、端末装置２００は、ビームフォーミング用の複数の重みセットに含まれる重みセットごとに、重みセットに関連付けられた無線リソースを使用して送信される測定用のリファレンス信号であって、上記重みセットを乗算された上記リファレンス信号についての測定の結果を取得する情報取得部２４３と、上記測定の上記結果に基づいて、基地局への測定報告を行う報告部２４５と、を備える。
【０３０１】
これにより、例えば、ビームフォーミングが行われる場合に端末装置２００のために適切なセルを選択することが可能になる。
【０３０２】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０３０３】
例えば、通信システムがＬＴＥ、ＬＴＥ−Ａｄｖａｎｃｅｄ、又はこれらに準ずる通信規格に準拠したシステムである例を説明したが、本開示は係る例に限定されない。例えば、通信システムは、他の通信規格に準拠したシステムであってもよい。
【０３０４】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０３０５】
また、本明細書の装置（例えば、基地局、基地局のための基地局装置、若しくは基地局装置のためのモジュール、又は、端末装置、若しくは端末装置のためのモジュール）に備えられるプロセッサ（例えば、ＣＰＵ、ＤＳＰなど）を上記装置の構成要素（例えば、情報取得部及び通信制御部など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の構成要素（例えば、情報取得部及び通信制御部など）の動作を含む方法も、本開示に係る技術に含まれる。
【０３０６】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０３０７】
なお、以下のような構成も本開示の技術的範囲に属する。
（１）
ビームフォーミング用の複数の重みセットを取得する取得部と、
前記複数の重みセットに含まれる重みセットごとに、重みセットにあらかじめ関連付けられた無線リソースに測定用のリファレンス信号をマッピングし、当該リファレンス信号に当該重みセットを乗算する制御部と、
を備える装置。
（２）
前記無線リソースは、制御領域及びデータ領域を含むサブフレームのうちの前記データ領域の無線リソースである、前記（１）に記載の装置。
（３）
前記無線リソースは、前記データ領域のリソースエレメントのうちの、ＣＲＳ（Cell-specific  Reference  Signal）のためのリソースエレメント以外のリソースエレメントである、前記（２）に記載の装置。
（４）
前記無線リソースは、特定のサブフレームの無線リソースである、前記（１）〜（３）のいずれか１項に記載の装置。
（５）
前記特定のサブフレームは、ＭＢＳＦＮ（MBMS(Multimedia  Broadcast  Multicast  Services)  over  a  Single  Frequency  Network）サブフレームである、前記（４）に記載の装置。
（６）
前記制御部は、前記特定のサブフレームを端末装置に通知する、前記（４）又は（５）に記載の装置。
（７）
前記特定のサブフレームは、あらかじめ定義されたサブフレームである、前記（４）又は（５）に記載の装置。
（８）
前記制御部は、前記複数の重みセットの各々に関連付けられた無線リソースを端末装置に通知する、前記（１）〜（７）のいずれか１項に記載の装置。
（９）
前記複数の重みセットの各々に関連付けられた無線リソースは、あらかじめ定義された無線リソースである、前記（１）〜（７）のいずれか１項に記載の装置。
（１０）
前記装置は、基地局、当該基地局のための基地局装置、又は当該基地局装置のためのモジュールである、前記（１）〜（９）のいずれか１項に記載の装置。
（１１）
前記無線リソースは、ビームフォーミング用の重みセットを乗算された測定用のリファレンス信号を送信するために前記基地局の隣接基地局により使用される無線リソースとは異なる、前記（１０）に記載の装置。
（１２）
前記重みセットにあらかじめ関連付けられた前記無線リソースは、前記隣接基地局により使用される前記無線リソースと同じサブフレームに存在する、前記（１１）に記載の装置。
（１３）
前記重みセットにあらかじめ関連付けられた前記無線リソースは、前記隣接基地局により使用される前記無線リソースと同じの帯域のリソースブロックに含まれる、前記（１２）に記載の装置。
（１４）
前記重みセットにあらかじめ関連付けられた前記無線リソースは、前記隣接基地局により使用される前記無線リソースとは異なる帯域のリソースブロックに含まれる、前記（１２）に記載の装置。
（１５）
前記重みセットにあらかじめ関連付けられた前記無線リソースは、前記隣接基地局により使用される前記無線リソースとは異なるサブフレームに存在する、前記（１１）に記載の装置。
（１６）
前記制御部は、前記複数の重みセットのうちの選択された重みセットを復調用のリファレンス信号に乗算し、前記選択された重みセットに対応する識別情報を端末装置に通知する、前記（１）〜（１５）のいずれか１項に記載の装置。
（１７）
前記制御部は、ダウンリンク制御情報の中で、前記選択された重みセットに対応する前記識別情報を端末装置に通知する、前記（１６）に記載の装置。
（１８）
前記複数の重みセットは、ラージスケールＭＩＭＯに使用可能な指向性アンテナに含まれる複数のアンテナ素子の１つ以上のサブセットのための重みセットである、前記（１）〜（１７）のいずれか１項に記載の装置。
（１９）
前記複数のアンテナ素子は、第１の方向及び第２の方向に並び、
前記１つ以上のサブセットは、前記複数のアンテナ素子のうちの前記第１の方向に並ぶアンテナ素子を含む第１のサブセットと、前記複数のアンテナ素子のうちの前記第２の方向に並ぶアンテナ素子を含む第２のサブセットとを含む、
前記（１８）に記載の装置。
（２０）
前記制御部は、前記第１のサブセットの重みセットを乗算されたリファレンス信号についての測定の結果と、前記第２のサブセットの重みセットを乗算されたリファレンス信号についての測定の結果とに基づいて、統合された測定の結果を生成する、前記（１９）に記載の装置。
（２１）
前記複数のアンテナ素子は、第１の方向及び第２の方向に並び、
前記１つ以上のサブセットは、前記複数のアンテナ素子のうちの前記第１の方向及び前記第２の方向の一方に並ぶアンテナ素子を含むサブセットである、
前記（１８）に記載の装置。
（２２）
前記第１の方向及び前記第２の方向は、互いに直交する、前記（１９）〜（２１）のいずれか１項に記載の装置。
（２３）
前記ビームフォーミングは、ラージスケールＭＩＭＯのビームフォーミングである、前記（１）〜（１７）のいずれか１項に記載の装置。
（２４）
前記測定は、受信電力又は受信品質の測定である、前記（１）〜（２３）のいずれか１項に記載の装置。
（２５）
前記測定は、ＲＳＲＰ（Reference  Signal  Received  Power）又はＲＳＲＱ（Reference  Signal  Received  Quality）の測定である、前記（２４）に記載の装置。
（２６）
前記リファレンス信号は、セルに固有の信号である、前記（１）〜（２５）のいずれか１項に記載の装置。
（２７）
ビームフォーミング用の複数の重みセットに含まれる重みセットごとに、重みセットに関連付けられた無線リソースを使用して送信される測定用のリファレンス信号であって、前記重みセットを乗算された前記リファレンス信号についての測定の結果を取得する取得部と、
前記測定の前記結果に基づいて、基地局への測定報告を行う報告部と、
を備える装置。
（２８）
前記報告部は、前記複数の重みセットに含まれる重みセットごとに、基地局への測定報告を行う、前記（２７）に記載の装置。
（２９）
前記複数の重みセットに含まれる重みセットごとに、前記測定を行う測定部、
をさらに備える、前記（２７）又は（２８）に記載の装置。
（３０）
前記測定部は、前記複数の重みセットのうちの選択された重みセットを乗算されたリファレンス信号についての測定を行い、
前記選択された重みセットを乗算された前記リファレンス信号は、前記選択された重みセットに関連付けられた無線リソースを使用して送信される測定用のリファレンス信号であって、前記選択された重みセットを乗算された前記測定用のリファレンス信号と、前記選択された重みセットを乗算された復調用のリファレンス信号とを含み、
前記選択された重みセットに対応する識別情報は、基地局が端末装置に通知する情報である、
前記（２９）に記載の装置。
（３１）
前記複数の重みセットは、ラージスケールＭＩＭＯに使用可能な指向性アンテナに含まれる複数のアンテナ素子の１つ以上のサブセットのための重みセットであり、
前記複数のアンテナ素子は、第１の方向及び第２の方向に並び、
前記１つ以上のサブセットは、前記複数のアンテナ素子のうちの前記第１の方向に並ぶアンテナ素子を含む第１のサブセットと、前記複数のアンテナ素子のうちの前記第２の方向に並ぶアンテナ素子を含む第２のサブセットとを含み、
前記報告部は、前記第１のサブセットの重みセットを乗算されたリファレンス信号についての測定の結果と、前記第２のサブセットの重みセットを乗算されたリファレンス信号についての測定の結果とに基づいて、統合された測定の結果を生成し、当該統合された測定の結果に基づいて、基地局への測定報告を行う、
前記（２７）〜（３０）のいずれか１項に記載の装置。
（３２）
前記装置は、端末装置、又は端末装置のためのモジュールである、前記（２７）〜（３１）のいずれか１項に記載の装置。
（３３）
ビームフォーミング用の複数の重みセットを取得することと、
プロセッサにより、前記複数の重みセットに含まれる重みセットごとに、重みセットにあらかじめ関連付けられた無線リソースに測定用のリファレンス信号をマッピングし、当該リファレンス信号に当該重みセットを乗算することと、
を含む方法。
（３４）
ビームフォーミング用の複数の重みセットを取得することと、
前記複数の重みセットに含まれる重みセットごとに、重みセットにあらかじめ関連付けられた無線リソースに測定用のリファレンス信号をマッピングし、当該リファレンス信号に当該重みセットを乗算することと、
をプロセッサに実行させるためのプログラム。
（３５）
ビームフォーミング用の複数の重みセットを取得することと、
前記複数の重みセットに含まれる重みセットごとに、重みセットにあらかじめ関連付けられた無線リソースに測定用のリファレンス信号をマッピングし、当該リファレンス信号に当該重みセットを乗算することと、
をプロセッサに実行させるためのプログラムを記録した読み取り可能な記録媒体。
（３６）
ビームフォーミング用の複数の重みセットに含まれる重みセットごとに、重みセットに関連付けられた無線リソースを使用して送信される測定用のリファレンス信号であって、前記重みセットを乗算された前記リファレンス信号についての測定の結果を取得することと、
プロセッサにより、前記測定の前記結果に基づいて、基地局への測定報告を行うことと、
を含む方法。
（３７）
ビームフォーミング用の複数の重みセットに含まれる重みセットごとに、重みセットに関連付けられた無線リソースを使用して送信される測定用のリファレンス信号であって、前記重みセットを乗算された前記リファレンス信号についての測定の結果を取得することと、
前記測定の前記結果に基づいて、基地局への測定報告を行うことと、
をプロセッサに実行させるためのプログラム。
（３７）
ビームフォーミング用の複数の重みセットに含まれる重みセットごとに、重みセットに関連付けられた無線リソースを使用して送信される測定用のリファレンス信号であって、前記重みセットを乗算された前記リファレンス信号についての測定の結果を取得することと、
前記測定の前記結果に基づいて、基地局への測定報告を行うことと、
をプロセッサに実行させるためのプログラムを記録した読み取り可能な記録媒体。
【符号の説明】
【０３０８】
１        通信システム
３０      サブフレーム
３１      制御領域
３３      データ領域
５１      第１の方向
５３      第２の方向
１００    基地局
１０１    指向性アンテナ
１０３    アンテナ素子
１０５    第１のサブセット
１０７    第２のサブセット
１５１    情報取得部
１５３    通信制御部
２００    端末装置
２４１    測定部
２４３    情報取得部
２４５    報告部
２４７    通信制御部
【図１】
2015216449.tif 000005
【図２】
2015216449.tif 000006
【図３】
2015216449.tif 000007
【図４】
2015216449.tif 000008
【図５】
2015216449.tif 000009
【図６】
2015216449.tif 000010
【図７】
2015216449.tif 000011
【図８】
2015216449.tif 000012
【図９】
2015216449.tif 000013
【図１０】
2015216449.tif 000014
【図１１】
2015216449.tif 000015
【図１２】
2015216449.tif 000016
【図１３】
2015216449.tif 000017
【図１４】
2015216449.tif 000018
【図１５】
2015216449.tif 000019
【図１６】
2015216449.tif 000020
【図１７】
2015216449.tif 000021
【図１８】
2015216449.tif 000022
【図１９】
2015216449.tif 000023
【図２０】
2015216449.tif 000024
【図２１】
2015216449.tif 000025
【図２２】
2015216449.tif 000026
【図２３】
2015216449.tif 000027
【図２４】
2015216449.tif 000028
【図２５】
2015216449.tif 000029
【図２６】
2015216449.tif 000030
【図２７】
2015216449.tif 000031